(57)【要約】実施例による液体レンズモジュールは、Ｍ（ここで、Ｍは２以上の正の整数）個の個別電極セクター及びＮ（ここで、Ｎは１以上の正の整数）個の共通電極セクターを含む液体レンズと、前記第１〜第Ｍ個別電極セクターとそれぞれ電気的に連結され、イメージセンサーの光軸に垂直な第１方向に露出された第１〜第Ｍ個別端子部を含む上部カバーと、前記上部カバーとともに前記液体レンズを取り囲み、前記第１〜第ｎ共通電極セクターと電気的に連結され、前記第１方向に露出された第１〜第ｎ（ここで、１≦ｎ≦Ｎ）共通端子部を含む下部カバーと、を含むことができる。【選択図】  図４ｂ
2021512361.tif 000002
【特許請求の範囲】
【請求項１】
Ｍ（ここで、Ｍは２以上の正の整数）個の個別電極セクター及びＮ（ここで、Ｎは１以上の正の整数）個の共通電極セクターを含む液体レンズと、
前記第１〜第Ｍ個別電極セクターとそれぞれ電気的に連結され、イメージセンサーの光軸に垂直な第１方向に露出された第１〜第Ｍ個別端子部を含む上部カバーと、
前記上部カバーとともに前記液体レンズを取り囲み、前記第１〜第ｎ共通電極セクターと電気的に連結され、前記第１方向に露出された第１〜第ｎ（ここで、１≦ｎ≦Ｎ）共通端子部を含む下部カバーと、を含む、液体レンズモジュール。
【請求項２】
前記下部カバーは、
前記液体レンズの側部を取り囲むように配置されたカバーフレームと、
前記カバーフレームとともに前記液体レンズを取り囲むように配置され、前記第１〜第ｎ共通電極セクターと連結された前記共通端子部を有する連結基板と、を含む、請求項１に記載の液体レンズモジュール。
【請求項３】
前記連結基板は、
基板フレームと、
前記基板フレームの外側から前記第１方向に突出し、前記共通端子部に相当する外側端子部と、
前記基板フレームの内側から突出して前記第１〜第ｎ共通電極セクターとそれぞれ接する第１〜第ｎ内側端子部と、を含む、請求項２に記載の液体レンズモジュール。
【請求項４】
前記上部カバーは、
前記第１〜第Ｍ個別電極セクターとそれぞれ電気的にコンタクトする第１〜第Ｍ上側コンタクト部と、
第１〜第Ｍ上側コンタクト部と前記第１及び第Ｍ個別端子部とを連結する第１〜第Ｍ上側連結部と、を含む、請求項１に記載の液体レンズモジュール。
【請求項５】
前記第１〜第Ｍ上側コンタクト部は、
前記第１〜第Ｍ個別電極セクターにそれぞれ対応する位置に形成された第１〜第Ｍコンタクト通孔と、
前記第１〜第Ｍコンタクト通孔に埋め込まれ、前記第１〜第Ｍ個別電極セクターと前記第１〜第Ｍ上側連結部をそれぞれ電気的に連結する第１〜第Ｍ導電型部材と、を含む、請求項４に記載の液体レンズモジュール。
【請求項６】
前記下側カバーは、
前記第１〜第ｎ共通電極セクターとそれぞれ電気的にコンタクトする第１〜第ｎ下側コンタクト部と、
第１〜第ｎ下側コンタクト部と前記第１及び第ｎ共通端子部とを連結する第１〜第ｎ下側連結部と、を含む、請求項１に記載の液体レンズモジュール。
【請求項７】
前記上部カバーは、前記下部カバーと接する第１接触面から突出した複数の突起を含み、
前記下部カバーは、前記上部カバーと接する第２接触面に、前記複数の突起に対応する位置に対応する形状に形成された複数の溝部を含む、請求項１に記載の液体レンズモジュール。
【請求項８】
前記上部カバーは、前記下部カバーと接する第１接触面に形成された複数の溝部を含み、
前記下部カバーは、前記上部カバーと接する第２接触面に、前記複数の溝部に対応する位置に対応する形状に突出した複数の突起を含む、請求項１に記載の液体レンズモジュール。
【請求項９】
第１開口を有する一側壁及び前記第１開口と光軸方向に垂直な第１方向に対面する第２開口を有する他側壁を含むホルダーと、
前記ホルダーの内部に配置された液体レンズモジュールと、を含み、
前記液体レンズモジュールは、
Ｍ（ここで、Ｍは２以上の正の整数）個の個別電極セクター及びＮ（ここで、Ｎは２以上の正の整数）個の共通電極セクターを含む液体レンズと、
前記第１〜第Ｍ個別電極セクターとそれぞれ電気的に連結され、前記第１又は第２開口の少なくとも一つを通して露出された第１〜第Ｍ個別端子部を含む上部カバーと、
前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーと、を含む、レンズアセンブリー。
【請求項１０】
イメージセンサーと、
前記イメージセンサーの光軸方向に配置されるレンズアセンブリーと、
前記イメージセンサーが配置され、駆動電圧を供給するメイン基板と、を含み、
前記レンズアセンブリーは、
第１開口を有する一側壁及び前記第１開口と光軸方向に垂直な第１方向に対面する第２開口を有する他側壁を含むホルダーと、
前記ホルダーの内部に配置された液体レンズモジュールと、を含み、
前記液体レンズモジュールは、
Ｍ（ここで、Ｍは２以上の正の整数）個の個別電極セクター及びＮ（ここで、Ｎは２以上の正の整数）個の共通電極セクターを含む液体レンズと、
前記第１〜第Ｍ個別電極セクターとそれぞれ電気的に連結され、前記第１又は第２開口の少なくとも一つを通して露出された第１〜第Ｍ個別端子部を含む上部カバーと、
前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーと、を含む、カメラモジュール。
【発明の詳細な説明】
【技術分野】
【０００１】
実施例は液体レンズモジュール、これを含むレンズアセンブリー及びこのアセンブリーを含むカメラモジュールに関するものである。
【背景技術】
【０００２】
携帯用装置の使用者は、高解像度を有しながらも大きさが小さくて多様な撮影機能を有する光学機器を望んでいる。例えば、多様な撮影機能とは、光学ズーム機能（ｚｏｏｍ−ｉｎ／ｚｏｏｍ−ｏｕｔ）、オートフォーカシング（ＡＦ：Ａｕｔｏ−Ｆｏｃｕｓｉｎｇ）機能又は手ぶれ補正乃至光学式手ぶれ補正（ＯＩＳ：Ｏｐｔｉｃａｌ  Ｉｍａｇｅ  Ｓｔａｂｉｌｉｚｅｒ）機能の少なくとも一つを意味することができる。
【０００３】
従来の場合、前述した多様な撮影機能を具現化するために、多数のレンズを組み合わせ、組み合わせられたレンズを直接動かす方法を用いた。しかし、このようにレンズの数を増加させる場合、光学機器の大きさが大きくなることができる。
【０００４】
オートフォーカス及び手ぶれ補正の機能は、レンズホルダーに固定され、光軸に整列された多数のレンズが、光軸又は光軸の垂直方向に移動するかティルティング（Ｔｉｌｔｉｎｇ）することによって遂行され、このために、複数のレンズから構成されたレンズアセンブリーを駆動させる別途のレンズ駆動装置が要求される。しかし、レンズ駆動装置は電力消費が大きく、これを保護するためにカメラモジュールとは別にカバーガラスを追加しなければならないなど、既存のカメラモジュールの全体の大きさが大きくなる問題がある。これを解消するために、２種の液体の界面の曲率を電気的に調節してオートフォーカス及び手ぶれ補正の機能をする液体レンズモジュールに対する研究が行われている。
【発明の概要】
【発明が解決しようとする課題】
【０００５】
実施例は、簡単な構成を有し、外部衝撃に強くて製造工程が容易である液体レンズモジュール及びこれを含むレンズアセンブリーを提供するためのものである。
【０００６】
実施例で解決しようとする技術的課題は以上で言及した技術的課題に制限されず、言及しなかった他の技術的課題は下記の記載から本発明が属する技術分野で通常の知識を有する者に明らかに理解可能であろう。
【課題を解決するための手段】
【０００７】
一実施例によるカメラモジュールは、Ｍ（ここで、Ｍは２以上の正の整数）個の個別電極セクター及びＮ（ここで、Ｎは１以上の正の整数）個の共通電極セクターを含む液体レンズと、前記第１〜第Ｍ個別電極セクターとそれぞれ電気的に連結され、イメージセンサーの光軸に垂直な第１方向に露出された第１〜第Ｍ個別端子部を含む上部カバーと、前記上部カバーとともに前記液体レンズを取り囲み、前記第１〜第ｎ共通電極セクターと電気的に連結され、前記第１方向に露出された第１〜第ｎ（ここで、１≦ｎ≦Ｎ）共通端子部を含む下部カバーと、を含むことができる。
【０００８】
例えば、前記下部カバーは、前記第１〜第ｎ共通電極セクターとそれぞれ電気的に連結され、前記第１方向に露出された第１〜第ｎ共通端子部を含むことができる。
【０００９】
例えば、前記下部カバーは、前記液体レンズの側部を取り囲むように配置されたカバーフレームと、前記カバーフレームとともに前記液体レンズを取り囲むように配置され、前記第１〜第ｎ共通電極セクターと連結された前記共通端子部を有する連結基板とを含むことができる。
【００１０】
例えば、前記連結基板は、基板フレームと、前記基板フレームの外側から前記第１方向に突出し、前記共通端子部に相当する外側端子部と、前記基板フレームの内側から突出して前記第１〜第ｎ共通電極セクターとそれぞれ接する第１〜第ｎ内側端子部とを含むことができる。
【００１１】
例えば、前記上部カバーは、前記光軸又は前記光軸に平行な第２方向に対応する位置に配置された上部開口を含み、前記下部カバーは、前記上部開口と前記光軸又は前記第２方向に対応する位置に配置された下部開口を含むことができる。
【００１２】
例えば、前記上部カバーは、前記第１〜第Ｍ個別電極セクターとそれぞれ電気的にコンタクトする第１〜第Ｍ上側コンタクト部と、第１〜第Ｍ上側コンタクト部と前記第１及び第Ｍ個別端子部を連結する第１〜第Ｍ上側連結部とを含むことができる。
【００１３】
例えば、前記第１〜第Ｍ上側コンタクト部は、前記第１〜第Ｍ個別電極セクターに向かってそれぞれ突出した形状を有することができる。
【００１４】
例えば、前記第１〜第Ｍ上側コンタクト部は、前記第１〜第Ｍ個別電極セクターにそれぞれ対応する位置に形成された第１〜第Ｍコンタクト通孔と、前記第１〜第Ｍコンタクト通孔に埋め込まれ、前記第１〜第Ｍ個別電極セクターと前記第１〜第Ｍ上側連結部をそれぞれ電気的に連結する第１〜第Ｍ導電型部材とを含むことができる。
【００１５】
例えば、前記下側カバーは、前記第１〜第ｎ共通電極セクターとそれぞれ電気的にコンタクトする第１〜第ｎ下側コンタクト部と、第１〜第ｎ下側コンタクト部と前記第１及び第ｎ共通端子部を連結する第１〜第ｎ下側連結部とを含むことができる。
【００１６】
例えば、前記第１〜第ｎ下側コンタクト部は、前記第１〜第ｎ共通電極セクターに向かってそれぞれ突出した形状を有することができる。
【００１７】
例えば、前記第１〜第ｎ共通端子部のそれぞれは前記第１〜第ｎ下側コンタクト部の中で隣接した下側コンタクト部と電気的に連結されることができる。
【００１８】
例えば、前記上部カバーは、前記下部カバーと接する第１接触面から突出した複数の突起を含み、前記下部カバーは、前記上部カバーと接する第２接触面に前記複数の突起に対応する位置に対応する形状に形成された複数の溝部を含むことができる。もしくは、前記上部カバーは、前記下部カバーと接する第１接触面に形成された複数の溝部を含み、前記下部カバーは、前記上部カバーと接する第２接触面に前記複数の溝部に対応する位置に対応する形状に突出した複数の突起を含むことができる。
【００１９】
例えば、前記上部カバーは、前記第１方向に互いに対面する第１及び第２外側面を含み、前記第１〜第Ｍ個別端子部は、前記第１又は第２外側面の少なくとも一つに配置されることができる。
【００２０】
例えば、前記液体レンズモジュールは、前記上部カバーと前記液体レンズとの間の第１空間又は前記下部カバーと前記液体レンズとの間の第２空間の少なくとも一つに配置された接着部材をさらに含むことができる。
【００２１】
他の実施例によるレンズアセンブリーは、第１開口を有する一側壁と前記第１開口と光軸方向に垂直な第１方向に対面する第２開口を有する他側壁を含むホルダーと、前記ホルダーの内部に配置された液体レンズモジュールとを含み、前記液体レンズモジュールは、Ｍ（ここで、Ｍは２以上の正の整数）個の個別電極セクター及びＮ（ここで、Ｎは２以上の正の整数）個の共通電極セクターを含む液体レンズと、前記第１〜第Ｍ個別電極セクターとそれぞれ電気的に連結され、前記第１又は第２開口の少なくとも一つを通して露出された第１〜第Ｍ個別端子部を含む上部カバーと、前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーとを含むことができる。
【００２２】
さらに他の実施例によるカメラモジュールは、イメージセンサーと、前記イメージセンサーの光軸方向に配置されるレンズアセンブリーと、前記イメージセンサーが配置され、駆動電圧を供給するメイン基板とを含み、前記レンズアセンブリーは、第１開口を有する一側壁及び前記第１開口と光軸方向に垂直な第１方向に対面する第２開口を有する他側壁を含むホルダーと、前記ホルダーの内部に配置された液体レンズモジュールとを含み、前記液体レンズモジュールは、Ｍ（ここで、Ｍは２以上の正の整数）個の個別電極セクター及びＮ（ここで、Ｎは２以上の正の整数）個の共通電極セクターを含む液体レンズと、前記第１〜第Ｍ個別電極セクターとそれぞれ電気的に連結され、前記第１又は第２開口の少なくとも一つを通して露出された第１〜第Ｍ個別端子部を含む上部カバーと、前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーとを含むことができる。
【発明の効果】
【００２３】
実施例による液体レンズモジュール、これを含むレンズアセンブリー及びこのアセンブリーを含むカメラモジュールは、外部の衝撃から液体レンズモジュールを保護することができ、液体レンズモジュールに含まれる部品の個数が少ないので、液体レンズモジュールの管理項目が減少することができ、液体レンズモジュールの製造工程の回数及び時間が減少し、液体レンズモジュールの累積公差が発生せず、不良率が減少することができ、個別公差が大きくなくて液体レンズモジュールと周辺部品との間のコンタクト問題が発生せず、安定的な構造によって液体レンズモジュールの量産が可能であり、個別電極セクターの個数が８個程度と多い場合にもメイン基板との電気的連結が容易であり、アクティブアラインの際に液体レンズモジュールに駆動電圧を容易に供給することができる。
【００２４】
また、本実施例で得られる効果は以上で言及した効果に制限されず、言及しなかった他の効果は下記の記載から本発明が属する分野で通常の知識を有する者に明らかに理解可能であろう。
【図面の簡単な説明】
【００２５】
【図１】一実施例によるカメラモジュールの概略側面図を示す。
【図２】図１に示したカメラモジュールの一実施例の分解斜視図を示す。
【図３】図２に示したホルダーと液体レンズモジュールとの間の構成を説明するための分解斜視図である。
【図４ａ】一実施例による液体レンズモジュールの結合斜視図を示す。
【図４ｂ】図４ａに示した液体レンズモジュールの上側分解斜視図を示す。
【図４ｃ】図４ａに示した液体レンズモジュールの下側分解斜視図を示す。
【図５】図４ａ〜図４ｃに示した液体レンズモジュールの一実施例の断面図を示す。
【図６ａ】他の実施例による液体レンズモジュールの結合斜視図を示す。
【図６ｂ】図６ａに示した液体レンズモジュールの上側分解斜視図を示す。
【図６ｃ】図６ａに示した液体レンズモジュールの下側分解斜視図を示す。
【図７ａ】さらに他の実施例による液体レンズモジュールの結合斜視図を示す。
【図７ｂ】図７ａに示した液体レンズモジュールの上側分解斜視図を示す。
【図７ｃ】図７ａに示した液体レンズモジュールの下側分解斜視図を示す。
【図８】カメラモジュールの概略ブロック図である。
【図９】比較例による液体レンズモジュールの上側斜視図を示す。
【発明を実施するための形態】
【００２６】
以下、添付図面に基づいて実施例を詳細に説明する。実施例は多様な変更を加えることができ、さまざまな形態を有することができるが、特定の実施例を図面に例示し本文に詳細に説明しようとする。しかし、これは実施例を特定の開示形態に限定しようとするものではなく、実施例の思想及び技術範囲に含まれる全ての変更、均等物乃至代替物を含むものに理解されなければならない。
【００２７】
“第１”、“第２”などの用語は多様な構成要素を説明するのに使えるが、前記構成要素は前記用語によって限定されてはいけない。前記用語は一構成要素を他の構成要素と区別する目的のみで使われる。また、実施例の構成及び作用を考慮して特別に定義された用語は実施例を説明するためのものであるだけ、実施例の範囲を限定するものではない。
【００２８】
実施例の説明において、各要素（ｅｌｅｍｅｎｔ）の“上又は下（ｏｎ  ｏｒ  ｕｎｄｅｒ）”に形成されるものとして記載される場合、上又は下（ｏｎ  ｏｒ  ｕｎｄｅｒ）は二つの要素（ｅｌｅｍｅｎｔ）が互いに直接（ｄｉｒｅｃｔｌｙ）接触するかあるいは一つ以上の他の要素（ｅｌｅｍｅｎｔ）が前記二つの要素（ｅｌｅｍｅｎｔ）の間に配置されて（ｉｎｄｉｒｅｃｔｌｙ）形成されるものを全て含む。また“上又は下（ｏｎ  ｏｒ  ｕｎｄｅｒ）”と表現される場合、１個の要素（ｅｌｅｍｅｎｔ）を基準に上方だけでなく下方の意味も含むことができる。
【００２９】
また、以下で使われる“上／上部／上の”及び“下／下部／下の”などの関係的用語は、そのような実体又は要素間のある物理的又は論理的関係又は手順を必ず要求するか内包せず、ある一つの実体又は要素を他の実体又は要素と区別するために用いることもできる。
【００３０】
本出願で使用した用語は単に特定の実施例を説明するために使用したものであり、本発明を限定しようとするものではない。単数の表現は、文脈上明白に他に指示しない限り、複数の表現を含む。本出願で、“含む”又は“有する”などの用語は明細書上に記載された特徴、数字、段階、動作、構成要素、部品又はこれらの組合せが存在することを指定しようとするものであり、一つ又はそれ以上の他の特徴、数字、段階、動作、構成要素、部品又はこれらの組合せの存在又は付加の可能性を予め排除しないものに理解しなければならない。
【００３１】
特に他に定義しない限り、技術的又は科学的な用語を含めてここで使われる全ての用語は本発明が属する技術分野で通常の知識を有する者が一般的に理解しているものと同じ意味を有することができる。一般的に使われる辞書に定義されているもののような用語は関連技術の文脈上で有する意味と一致する意味を有するものと解釈されなければならなく、本出願で明白に定義しない限り、理想的に又は過度に形式的な意味と解釈されない。
【００３２】
以下、実施例による液体レンズモジュール及びこれを含むレンズアセンブリー及びこのレンズアセンブリーを含むカメラモジュールをデカルト座標系に基づいて説明するが、実施例はこれに限られない。すなわち、デカルト座標系によれば、ｘ軸、ｙ軸及びｚ軸は互いに直交するが、実施例はこれに限られない。すなわち、ｘ軸、ｙ軸、ｚ軸は直交する代わりに互いに交差することができる。
【００３３】
以下、実施例による液体レンズモジュールの説明に先立ち、このような液体レンズモジュールを含むレンズアセンブリー及びこのレンズアセンブリーを含むカメラモジュールについて説明するが、実施例はこれに限られない。すなわち、実施例による液体レンズモジュールは以下で説明するレンズアセンブリー及びカメラモジュールとは違う構成を有するレンズアセンブリー及びカメラモジュールにも適用可能である。すなわち、以下で説明するレンズアセンブリー及びカメラモジュールは実施例による液体レンズモジュールを適用することができる一例に過ぎない。
【００３４】
以下、一実施例によるカメラモジュール１００を添付図面の図１〜図３及び図８に基づいて次のように説明する。
【００３５】
図１は一実施例によるカメラモジュール１００の概略側面図を示す。
【００３６】
図１を参照すると、カメラモジュール１００は、レンズアセンブリー２２、制御回路２４及びイメージセンサー２６を含むことができる。
【００３７】
まず、レンズアセンブリー２２は、複数のレンズ部及び複数のレンズ部を収容するホルダーを含むことができる。後述するように、複数のレンズ部は液体レンズモジュールを含むことができ、第１レンズ部又は第２レンズ部をさらに含むことができる。複数のレンズ部は、第１及び第２レンズ部及び液体レンズモジュールの全てを含むことができる。
【００３８】
制御回路２４は、液体レンズモジュールに駆動電圧（又は、動作電圧）を供給する役割をする。
【００３９】
前述した制御回路２４とイメージセンサー２６は単一のプリント基板（ＰＣＢ：Ｐｒｉｎｔｅｄ  Ｃｉｒｃｕｉｔ  Ｂｏａｒｄ）上に配置されることができるが、これは一例に過ぎないだけで、実施例はこれに限られない。
【００４０】
実施例によるカメラモジュール１００が光学機器（Ｏｐｔｉｃａｌ  Ｄｅｖｉｃｅ、Ｏｐｔｉｃａｌ  Ｉｎｓｔｒｕｍｅｎｔ）に適用される場合、制御回路２４の構成は光学機器で要求する仕様によって違うように設計されることができる。特に、制御回路２４は単一のチップ（ｓｉｎｇｌｅ  ｃｈｉｐ）から具現化され、レンズアセンブリー２２に印加される駆動電圧の強度を減らすことができる。これにより、携帯用装置に搭載される光学機器の大きさがもっと小さいことができる。
【００４１】
図２は図１に示したカメラモジュール１００の一実施例による分解斜視図を示す。
【００４２】
図２を参照すると、カメラモジュール１００は、レンズアセンブリー、メイン基板１５０及びイメージセンサー１８２を含むことができる。また、カメラモジュール１００は、第１カバー１７０及びミドルベース１７２をさらに含むことができる。また、カメラモジュール１００は、センサーベース１７８及びフィルター１７６をさらに含むこともでき、図２に示したものとは違い、センサーベース１７８及びフィルター１７６を含まなくてもよい。また、カメラモジュール１００は、第２カバー１５４をさらに含むことができる。
【００４３】
実施例によれば、図２に示したカメラモジュール１００において、液体レンズモジュール１４０とイメージセンサー１８２を除いた他の構成要素１１０、１２０、１３０、１５０、１５４、１６６、１７０、１７２、１７６、１７８の少なくとも一つは省略することができる。もしくは、図２に示した構成要素１１０〜１７８と違う少なくとも一つの構成要素をカメラモジュール１００にさらに含むこともできる。
【００４４】
図２を参照すると、レンズアセンブリーは、液体レンズモジュール１４０を含むことができる。また、レンズアセンブリーは、第１レンズ部１１０、ホルダー１２０又は第２レンズ部１３０の少なくとも一つをさらに含むことができる。図２に示したレンズアセンブリーは図１に示したレンズアセンブリー２２に相当することができ、メイン基板１５０上に配置されることができる。
【００４５】
レンズアセンブリーにおいて、液体レンズモジュール１４０と区別するために、第１レンズ部１１０及び第２レンズ部１３０を‘第１固体レンズ部’及び‘第２固体レンズ部’とそれぞれ呼ぶこともできる。
【００４６】
第１レンズ部１１０はレンズアセンブリーの上側に配置され、レンズアセンブリーの外部から光が入射する領域であり得る。すなわち、第１レンズ部１１０はホルダー１２０内で液体レンズモジュール１４０上に配置されることができる。第１レンズ部１１０は単一のレンズから具現化されることもでき、中心軸を基準に整列されて光学系を形成する２個以上の複数のレンズから具現化されることもできる。
【００４７】
ここで、中心軸とは、カメラモジュール１００に含まれた第１レンズ部１１０、液体レンズモジュール１４０に含まれる液体レンズ及び第２レンズ部１３０が形成する光学系の光軸（Ｏｐｔｉｃａｌ  ａｘｉｓ）ＬＸを意味することもでき、光軸ＬＸに平行な軸を意味することもできる。光軸ＬＸはイメージセンサー１８２の光軸に相当することができる。すなわち、第１レンズ部１１０、液体レンズモジュール１４０の液体レンズ、第２レンズ部１３０及びイメージセンサー１８２はアクティブアライン（ＡＡ：Ａｃｔｉｖｅ  Ａｌｉｇｎ）によって光軸ＬＸに整列されて配置されることができる。
【００４８】
ここで、アクティブアラインとは、より良いイメージ獲得のために、第１レンズ部１１０、第２レンズ部１３０及び液体レンズモジュール１４０の液体レンズのそれぞれの光軸を一致させ、イメージセンサー１８２とレンズ部１１０、１３０、１４０との間の軸又は距離関係を調節する動作を意味することができる。
【００４９】
また、第１レンズ部１１０の上側に露出レンズが配置されることができる。ここで、露出レンズとは、第１レンズ部１１０に含まれたレンズの中で最外殻レンズを意味することができる。すなわち、第１レンズ部１１０の最上側に位置するレンズが上部に突出するので、露出レンズの機能をすることができる。露出レンズはホルダー１２０の外部に突出して表面が損傷する可能性を有する。仮に、露出レンズの表面が損傷する場合、カメラモジュール１００で撮影されるイメージの画質が低下することができる。よって、露出レンズの表面損傷を防止及び抑制するために、露出レンズの上部にカバーガラス（ｃｏｖｅｒ  ｇｌａｓｓ）を配置するか、コーティング層を形成するか、露出レンズの表面損傷を防止するために、他のレンズ部のレンズより剛性の高い耐磨耗性素材から露出レンズを具現化することもできる。
【００５０】
図３は図２に示したホルダー１２０と液体レンズモジュール１４０との間の構成を説明するための分解斜視図である。
【００５１】
図３に示したホルダー１２０は、第１及び第２ホールＨ１、Ｈ２と、第１〜第４側壁（又は、側面又は側部）と、を含むことができる。ホルダー１２０は回路素子１５１から離隔してメイン基板１５０上に配置されることができる。
【００５２】
第１及び第２ホールＨ１、Ｈ２はホルダー１２０の上部と下部にそれぞれ形成され、ホルダー１２０の上部と下部をそれぞれ開放させることができる。ここで、第１ホールＨ１及び第２ホールＨ２は貫通ホールでもあり得るし、ブラインドホールでもあり得る。第１レンズ部１１０は、ホルダー１２０の内部に形成された第１ホールＨ１に収容、装着、着座、接触、固定、仮固定、支持、結合、又は配置されることができ、第２レンズ部１３０は、ホルダー１２０の内部に形成された第２ホールＨ２に収容、装着、着座、接触、固定、仮固定、支持、結合、又は配置されることができる。
【００５３】
また、ホルダー１２０の第１及び第２側壁は光軸ＬＸ方向に垂直な第１方向（例えば、ｘ軸方向）に互いに対面するように配置され、第３及び第４側壁は光軸ＬＸ方向に垂直な第２方向（例えば、ｙ軸方向）に互いに対面するように配置されることができる。また、図３に例示したように、ホルダー１２０で、第１側壁は第１開口ＯＰ１を含み、第２側壁は第１開口ＯＰ１と同一又は類似の形状の第２開口ＯＰ２を含むことができる。よって、第１側壁に配置された第１開口ＯＰ１と第２側壁に配置された第２開口ＯＰ２は光軸ＬＸ方向に垂直な第１方向（例えば、ｘ軸方向）に互いに対面するように配置されることができる。
【００５４】
第１及び第２開口ＯＰ１、ＯＰ２によって、液体レンズモジュール１４０が配置されるホルダー１２０の内部空間が開放することができる。ここで、液体レンズモジュール１４０は第１又は第２開口ＯＰ１、ＯＰ２を通して挿入され、ホルダー１２０の内部空間に装着、着座、接触、固定、仮固定、支持、結合、又は配置されることができる。例えば、液体レンズモジュール１４０は、第１開口ＯＰ１を通してホルダー１２０の内部空間に挿入されることができる。
【００５５】
このように、液体レンズモジュール１４０が第１又は第２開口ＯＰ１、ＯＰ２を通してホルダー１２０の内部空間に挿入されることができるように、光軸ＬＸ方向を基準にホルダー１２０の第１又は第２開口ＯＰ１、ＯＰ２のそれぞれの大きさは液体レンズモジュール１４０のｚ軸方向への大きさより大きいことができる。例えば、光軸ＬＸ方向に第１及び第２開口ＯＰ１、ＯＰ２のそれぞれの大きさに相当する高さＨは液体レンズモジュール部１４０の厚さＴＯより大きいことができる。すなわち、ｘ軸方向に見るとき、第１及び第２開口ＯＰ１、ＯＰ２のそれぞれの面積は液体レンズモジュール１４０の面積より大きいことができる。
【００５６】
第２レンズ部１３０はホルダー１２０の内部で液体レンズモジュール１４０の下に配置されることができる。第２レンズ部１３０は第１レンズ部１１０から光軸方向（例えば、ｚ軸方向）に離隔して配置されることができる。
【００５７】
カメラモジュール１００の外部から第１レンズ部１１０に入射した光は液体レンズモジュール１４０を通過して第２レンズ部１３０に入射することができる。第２レンズ部１３０は単一のレンズから具現化されることもでき、中心軸を基準に整列されて光学系を形成する２個以上の複数のレンズから具現化されることもできる。
【００５８】
液体レンズモジュール１４０の液体レンズとは違い、第１レンズ部１１０及び第２レンズ部１３０のそれぞれは固体レンズであり、ガラス又はプラスチックから具現化されることができるが、実施例は第１レンズ部１１０及び第２レンズ部１３０のそれぞれの特定の素材に限られない。
【００５９】
再び図２を参照すると、第１カバー１７０はホルダー１２０、液体レンズモジュール１４０及びミドルベース１７２を取り囲むように配置され、これら１２０、１４０、１７２を外部の衝撃から保護することができる。特に、第１カバー１７０が配置されることにより、光学系を形成する複数のレンズを外部衝撃から保護することができる。
【００６０】
また、ホルダー１２０に配置される第１レンズ部１１０が外部光に露出されるように、第１カバー１７０はその第１カバー１７０の上面に形成された上側開口１７０Ｈを含むことができる。また、上側開口１７０Ｈには光透過性物質から構成されたウィンドウが配置されることができ、これにより、カメラモジュール１００の内部でほこりや水分などの異物が浸透することを防止することができる。また、第１カバー１７０はホルダー１２０の上面と第１〜第４側壁を覆うように配置されることができる。
【００６１】
また、ミドルベース１７２はホルダー１２０の第２ホールＨ２を取り囲むように配置されることができる。このために、ミドルベース１７２は、第２ホールＨ２を収容するための収容ホール１７２Ｈを含むことができる。ミドルベース１７２の内径（すなわち、収容ホール１７２Ｈの直径）は第２ホールＨ２の外径以上であり得る。ここで、ミドルベース１７２の収容ホール１７２Ｈと第２ホールＨ２の形状はそれぞれ円形のものとして図示されているが、実施例はこれに限定されず、多様な形状に変更されることもできる。第１カバー１７０の上側開口１７０Ｈと同様に、収容ホール１７２Ｈはミドルベース１７２の中央付近で、カメラモジュール１００に配置されたイメージセンサー１８２の位置に対応する位置に形成されることができる。
【００６２】
仮に、センサーベース１７８を省略する場合、ミドルベース１７２は回路素子１５１から離隔してメイン基板１５０に装着され、センサーベース１７８を省略しない場合、ミドルベース１７２はセンサーベース１７８に装着されることができる。
【００６３】
一方、フィルター１７６は、第１レンズ部１１０、液体レンズモジュール１４０及び第２レンズ部１３０を通過した光のうち特定の波長範囲に相当する光をフィルタリングすることができる。フィルター１７６は赤外線（ＩＲ）遮断フィルター又は紫外線（ＵＶ）遮断フィルターであり得るが、実施例はこれに限定されない。フィルター１７６はイメージセンサー１８２上に配置され、センサーベース１７８の内部に配置されることができる。
【００６４】
センサーベース１７８はミドルベース１７２の下部に配置され、メイン基板１５０に付着されることができる。センサーベース１７８はイメージセンサー１８２を取り囲み、イメージセンサー１８２を外部の異物又は衝撃から保護することができる。
【００６５】
一方、メイン基板１５０は、イメージセンサー１８２が装着、着座、接触、固定、仮固定、支持、結合、又は収容されることができる溝、回路素子１５１、連結部（又は、ＦＰＣＢ）１５２及びコネクタ１５３を含むことができる。また、メイン基板１５０は、複数の端子１５０−１をさらに含むことができる。端子１５０−１は、液体レンズに駆動電圧を供給するために、液体レンズモジュール１４０と連結される部分である。しかし、メイン基板１５０と液体レンズモジュール１４０は多様な形態、例えばワイヤ（図示せず）を介して互いに電気的に連結されることができる。しかし、実施例は液体レンズモジュール１４０とメイン基板１５０が連結される特定の形態に限られない。よって、メイン基板１５０は複数の端子１５０−１を含まなくてもよい。
【００６６】
仮に、フィルター１７６とセンサーベース１７８を省略する場合、メイン基板１５０はミドルベース１７２の下に配置されることができる。
【００６７】
しかし、フィルター１７６とセンサーベース１７８を省略しない場合、メイン基板１５０はセンサーベース１７８の下に配置されることができる。すなわち、メイン基板１５０上に回路素子１５１から離隔してセンサーベース１７８が装着されることができる。この場合、センサーベース１７８上にミドルベース１７２と、第２レンズ部１３０、液体レンズモジュール１４０及び第１レンズ部１１０が配置されたホルダー１２０とが配置されることができる。
【００６８】
メイン基板１５０の回路素子１５１は、液体レンズモジュール１４０及びイメージセンサー１８２を制御する制御モジュールを構成することができる。ここで、制御モジュールについては添付図面の図８を参照して後述する。回路素子１５１は、受動素子及び能動素子の少なくとも一つを含むことができ、多様な広さ及び高さを有することができる。回路素子１５１は複数であり得る。複数の回路素子１５１は、ホルダー１２０と光軸ＬＸに平行な方向にオーバーラップしないように配置されることができる。例えば、複数の回路素子１５１は、パワーインダクタ（ｐｏｗｅｒ  ｉｎｄｕｃｔｏｒ）１５１−１及びジャイロセンサーなどを含むことができるが、実施例は回路素子１５１の特定の種類に限られない。複数の回路素子１５１の一部は電磁波妨害（ＥＭＩ：Ｅｌｅｃｔｒｏ  Ｍａｇｎｅｔｉｃ  Ｉｎｔｅｒｆｅｒｅｎｃｅ）やノイズを引き起こすことができる。特に、複数の回路素子１５１のうちパワーインダクタ１５１−１は他の素子より多くのＥＭＩを引き起こすことができる。このように、ＥＭＩやノイズを遮断するために、第２カバー１５４はメイン基板１５０の素子領域に配置された回路素子１５１を覆うように配置されて電磁気遮蔽機能をすることができる。また、第２カバー１５４が回路素子１５１を覆うように配置され、外部衝撃から回路素子１５１を保護することができる。このために、第２カバー１５４は、回路素子１５１の形状及び位置を考慮して回路素子１５１を収容して覆うための収容空間を含むことができる。
【００６９】
メイン基板１５０はＦＰＣＢ１５２を含むＲＦＰＣＢ（Ｒｉｇｉｄ  Ｆｌｅｘｉｂｌｅ  Ｐｒｉｎｔｅｄ  Ｃｉｒｃｕｉｔ  Ｂｏａｒｄ）から具現化されることができる。ＦＰＣＢ１５２はカメラモジュール１００が装着される空間の要求に応じてベンディングされることができる。
【００７０】
コネクタ１５３は、メイン基板１５０をカメラモジュール１００の外部電源又はその他の装置（例えば、ａｐｐｌｉｃａｔｉｏｎ  ｐｒｏｃｅｓｓｏｒ）と電気的に連結することができる。
【００７１】
一方、イメージセンサー１８２は、レンズアセンブリー１１０、１２０、１３０、１４０の第１レンズ部１１０、液体レンズモジュール１４０の液体レンズ及び第２レンズ部１３０を通過した光をイメージデータに変換する機能をすることができる。より具体的に、イメージセンサー１８２は、複数のピクセルを含むピクセルアレイを介して光をアナログ信号に変換し、アナログ信号に相応するデジタル信号を合成してイメージデータを生成することができる。
【００７２】
以下、実施例による液体レンズモジュール１４０Ａ、１４０Ｂ、１４０Ｃを添付図面の図４ａ〜図７ｃを参照して次のように説明する。実施例による液体レンズモジュール１４０Ａ、１４０Ｂ、１４０Ｃは図２及び図３に示した液体レンズモジュール１４０に相当することができる。よって、前述した液体レンズモジュール１４０についての説明は液体レンズモジュール１４０Ａ、１４０Ｂ、１４０Ｃにも適用することができる。例えば、液体レンズモジュール１４０Ａ、１４０Ｂ、１４０Ｃのそれぞれの少なくとも一部は図３に示した第１開口ＯＰ１又は第２開口ＯＰ２の少なくとも一つの内部に配置されることもできる。また、第１及び第２開口ＯＰ１、ＯＰ２のそれぞれの内部に液体レンズモジュール１４０Ａ、１４０Ｂ、１４０Ｃが配置されなくてもよい。
【００７３】
図４ａは一実施例による液体レンズモジュール１４０Ａの結合斜視図、図４ｂは図４ａに示した液体レンズモジュール１４０Ａの上側分解斜視図、図４ｃは図４ａに示した液体レンズモジュール１４０Ａの下側分解斜視図を示す。
【００７４】
図４ａ〜図４ｃを参照すると、液体レンズモジュール１４０Ａは、上部カバー（Ｕｐｐｅｒ  Ｃｏｖｅｒ）ＵＣ、液体レンズ１４２、及び下部カバー（Ｌｏｗｅｒ  Ｃｏｖｅｒ）ＬＣを含むことができる。
【００７５】
液体レンズ１４２は、Ｍ個の個別電極（又は、上部電極）と単一の共通電極（又は、下部電極）とを含むことができる。ここで、Ｍは２以上の正の整数である。
【００７６】
以下、図４ａ〜図４ｃ、図６ａ〜図６ｃ及び図７ａ〜図７ｃでＭ＝８であると仮定して説明するが、Ｍが８より小さいか大きい場合にも下記の説明を適用することができる。また、個別電極の個数と個別電極セクターの個数が互いに同一であるものとして説明するが、個別電極の個数が個別電極セクターの個数より多くても少なくてもよく、この場合にも下記の説明を適用することができる。
【００７７】
以下、前述した実施例による液体レンズモジュール１４０Ａ、１４０Ｂ、１４０Ｃにおいて液体レンズ１４２の一例を添付図面の図５を参照して次のように説明する。
【００７８】
図５は図４ａ〜図４ｃに示した液体レンズモジュール１４０Ａの一実施例による断面図を示す。
【００７９】
液体レンズ１４２はキャビティ（ｃａｖｉｔｙ）ＣＡを含むことができる。図５に示したように、キャビティＣＡにおいて光が入射する方向の開口面積は反対方向の開口面積より小さいことができる。もしくは、キャビティＣＡの傾斜方向が反対になるように液体レンズ１４２が配置されることもできる。すなわち、キャビティＣＡにおいて光が入射する方向の開口面積は反対方向の開口面積より大きいこともできる。また、キャビティＣＡの傾斜方向が反対になるように液体レンズ１４２が配置されるとき、液体レンズ１４２の傾斜方向によって液体レンズ１４２に含まれた構成の配置全体又は一部が一緒に変わるか、キャビティＣＡの傾斜方向のみ変更され、残りの構成の配置は変わらないこともできる。
【００８０】
図５に示した液体レンズモジュールにおいて、液体レンズ１４２は、相異なる種類の複数の液体ＬＱ１、ＬＱ２、第１〜第３プレート１４７、１４５、１４６、個別電極ＩＥ１、ＩＥ２、共通電極ＣＥ及び絶縁層１４８を含むことができる。
【００８１】
複数の液体ＬＱ１、ＬＱ２はキャビティＣＡに収容され、伝導性を有する第１液体ＬＱ１と非伝導性を有する第２液体（又は、絶縁液体）ＬＱ２とを含むことができる。第１液体ＬＱ１と第２液体ＬＱ２は互いに混じらず、第１及び第２液体ＬＱ１、ＬＱ２が接する部分に界面ＢＯが形成されることができる。例えば、第１液体ＬＱ１上に第２液体ＬＱ２が配置されることができるが、実施例はこれに限られない。
【００８２】
第１液体ＬＱ１は伝導性を有し、例えばエチレングリコール（ｅｔｈｙｌｅｎｅ  ｇｌｙｃｏｌ）と臭化ナトリウム（ＮａＢｒ）が混合されて形成されることができる。第２液体ＬＱ２はオイル（ｏｉｌ）であり得る。例えば、フェニル（ｐｈｅｎｙｌ）系のシリコンオイルであり得る。第１液体ＬＱ１及び第２液体ＬＱ２のそれぞれは殺菌剤又は酸化防止剤の少なくとも１種を含むことができる。酸化防止剤はフェノール系酸化防止剤又はリン（Ｐ）系酸化防止剤であり得る。そして、殺菌剤は、アルコール系、アルデヒド系及びフェノール系のいずれか１種の殺菌剤であり得る。このように。第１液体ＬＱ１及び第２液体ＬＱ２のそれぞれが酸化防止剤と殺菌剤を含む場合、第１及び第２液体ＬＱ１、ＬＱ２が酸化するか微生物の繁殖によって第１及び第２液体ＬＱ１、ＬＱ２の物性が変化することを防止することができる。
【００８３】
第１プレート１４７の内側面はキャビティＣＡの側壁ｉを成すことができる。第１プレート１４７は、既定の傾斜面を有する上下の開口部を含むことができる。すなわち、キャビティＣＡは、第１プレート１４７の傾斜面、第２プレート１４５と接触する第３開口、及び第３プレート１４６と接触する第４開口で取り囲まれた領域に定義することができる。
【００８４】
第３及び第４開口の中でより広い開口の直径は液体レンズ１４２で要求する画角（ＦＯＶ）又は液体レンズ１４２がカメラモジュール１００で遂行しなければならない役割によって変わることができる。実施例によれば、第３開口の大きさ（又は面積、又は幅）Ｏ1より第４開口の大きさ（又は面積、又は幅）Ｏ2が大きいことができる。ここで、第３及び第４開口のそれぞれの大きさは光軸ＬＸと直交する水平方向（例えば、ｘ軸とｙ軸方向）への断面積であり得る。
【００８５】
第３及び第４開口のそれぞれは円形の断面を有するホール（ｈｏｌｅ）の形状を有することができ、傾斜面は５５°〜６５°又は５０°〜７０°の範囲の傾斜度を有することができる。２種の液体ＬＱ１、ＬＱ２が形成した界面ＢＯは駆動電圧によってキャビティＣＡの傾斜面に沿って動くことができる。
【００８６】
第１プレート１４７のキャビティＣＡに第１液体ＬＱ１及び第２液体ＬＱ２が充填、収容又は配置される。また、キャビティＣＡは第１レンズ部１１０を通過した光が透過する部位である。よって、第１プレート１４７は透明な材料からなることもでき、光の透過が容易でないように不純物を含むこともできる。
【００８７】
第１プレート１４７の一面に個別電極ＩＥ１、ＩＥ２が配置され、他面に共通電極ＣＥがそれぞれ配置されることができる。複数の個別電極ＩＥ１、ＩＥ２は共通電極ＣＥから第１プレート１４７を挟んで離隔して配置されることができる。例えば、複数の個別電極ＩＥ１、ＩＥ２は第１プレート１４７の一面（例えば、上面、側面及び下面）に配置され、共通電極ＣＥは第１プレート１４７の他面（例えば、下面）に配置され、第１液体ＬＱ１と直接接触することができる。
【００８８】
図５に示した個別電極ＩＥ１、ＩＥ２のそれぞれは図４ａ〜図４ｃに示した第１〜第Ｍ個別電極に相当することができる。
【００８９】
個別電極ＩＥ１、ＩＥ２のそれぞれは少なくとも一つの電極セクター（以下、‘個別電極セクター’という）を含むことができる。例えば、個別電極ＩＥ１、ＩＥ２のそれぞれは一つの個別電極セクターを含むこともでき、複数の個別電極セクターを含むこともできる。図５に示したように、第１個別電極ＩＥ１は第２プレート１４５によって覆われずに露出された第１個別電極セクターＩＥＳ１を含み、第２個別電極ＩＥ２は第２プレート１４５によって覆われずに露出された第２個別電極セクターＩＥＳ２を含むことができる。すなわち、個別電極セクターとは個別電極の一部であって、第２プレート１４５によって覆われずに露出された部分を意味することができる。
【００９０】
図４ｂに示したように、第１個別電極は第１個別電極セクターＥ１を含み、第２個別電極は第２個別電極セクターＥ２を含み、第３個別電極は第３個別電極セクターＥ３を含み、第４個別電極は第４個別電極セクターＥ４を含み、第５個別電極は第５個別電極セクターＥ５を含み、第６個別電極は第６個別電極セクターＥ６を含み、第７個別電極は第７個別電極セクターＥ７を含み、第８個別電極は第８個別電極セクターＥ８を含むことができる。また、第１〜第８個別電極セクターＥ１〜Ｅ８は光軸を中心に時計方向（又は、反時計方向）に順次配置されることができる。
【００９１】
また、共通電極ＣＥは、Ｎ個の電極セクター（以下、‘共通電極セクター’という）を含むことができる。ここで、Ｎは１以上の正の整数であり得る。例えば、共通電極は少なくとも一つの共通電極セクターを含むことができる。図５に示したように、共通電極ＣＥは、第３プレート１４６によって覆われずに露出された第１共通電極セクターＣＥＳ１及び第２共通電極セクターＣＥＳ２を含むことができる。すなわち、共通電極セクターとは共通電極の一部であって、第３プレート１４６によって覆われずに露出された部分を意味することができる。第１プレート１４７の他面に配置された共通電極ＣＥの一部が伝導性を有する第１液体ＬＱ１に露出されることができる。
【００９２】
図４ｂに示したように、共通電極ＣＥは、第１〜第４共通電極セクターＣ１〜Ｃ４（Ｎ＝４の場合）を含むことができる。また、第１〜第４共通電極セクターＣ１〜Ｃ４は、光軸を中心に時計方向（又は、反時計方向）に順次配置されることができる。
【００９３】
個別電極及び共通電極ＩＥ１、ＩＥ２、ＣＥのそれぞれは導電性材料からなることができ、例えば金属からなることができ、詳細にはクロム（Ｃｒ）を含むことができる。クロミウム（ｃｈｒｏｍｉｕｍ）又はクロム（Ｃｈｒｏｍ）は銀色の光沢がある堅い遷移金属であり、壊れやすく、めったに変色せず、融点が高い。そして、クロミウムを含む合金は腐食に強くて堅いから、他の金属と合金した形態で使われることができ、特に、クロム（Ｃｒ）は腐食及び変色が少ないから、キャビティＣＡを満たす伝導性の第１液体ＬＱ１にも強い特徴がある。
【００９４】
また、第２プレート１４５は個別電極ＩＥ１、ＩＥ２の一面に配置されることができる。すなわち、第２プレート１４５は第１プレート１４７上に配置されることができる。具体的に、第２プレート１４５は個別電極ＩＥ１、ＩＥ２の上面及びキャビティＣＡ上に配置されることができる。
【００９５】
第３プレート１４６は共通電極ＣＥの一面に配置されることができる。すなわち、第３プレート１４６は第１プレート１４７の下に配置されることができる。具体的に、第３プレート１４６は共通電極ＣＥの下面及びキャビティＣＡの下に配置されることができる。
【００９６】
第２プレート１４５と第３プレート１４６は第１プレート１４７を挟んで互いに対向するように配置されることができる。また、第２プレート１４５又は第３プレート１４６の少なくとも一つは省略することもできる。第２又は第３プレート１４５、１４６の少なくとも一つは方形平面の形状を有することができる。第２及び第３プレート１４５、１４６のそれぞれは光が通過する領域であり、透光性材料からなることができる。例えば、第２及び第３プレート１４５、１４６のそれぞれはガラス（ｇｌａｓｓ）からなることができ、工程の便宜上、同じ材料から形成されることができる。また、第２及び第３プレート１４５、１４６のそれぞれの縁部は方形状であり得るが、必ずしもこれに限定されない。
【００９７】
第２プレート１４５は、第１レンズ部１１０から入射する光が第１プレート１４７のキャビティＣＡの内部に進行するように許容する構成を有することができる。
【００９８】
第３プレート１４６は、第１プレート１４７のキャビティＣＡを通過した光が第２レンズ部１３０に進行するように許容する構成を有することができる。第３プレート１４６は第１液体ＬＱ１と直接接触することができる。
【００９９】
実施例によれば、第３プレート１４６は、第１プレート１４７の第３及び第４開口の中で広い開口の直径Ｏ2より大きな直径Ｏ3を有することができる。また、第３プレート１４６は第１プレート１４７から離隔した周辺領域を含むことができる。
【０１００】
また、液体レンズ１４２の実際有効レンズ領域は、第１プレート１４７の第３及び第４開口の中で広い開口の直径（例えば、Ｏ２）より小さくてもよい。例えば、液体レンズ１４２の中心部を基準に狭い範囲の半径が実際に光を伝達する経路として使われる場合、図５に示したものとは違い、第３プレート１４６の中心領域の直径（例えば、Ｏ3）は第１プレート１４７の第３及び第４開口の中で広い開口の直径（例えば、Ｏ2）より小さくてもよい。
【０１０１】
絶縁層１４８は、キャビティＣＡの上部領域で第２プレート１４５の下面の一部を覆うように配置されることができる。すなわち、絶縁層１４８は、第２液体ＬＱ２と第２プレート１４５との間に配置されることができる。
【０１０２】
また、絶縁層１４８は、キャビティＣＡの側壁を成す個別電極ＩＥ１、ＩＥ２の一部を覆うように配置されることができる。また、絶縁層１４８は、第１プレート１４７の下面で、個別電極ＩＥ１、ＩＥ２の一部と第１プレート１４７及び共通電極ＣＥとを覆うように配置されることができる。これにより、個別電極ＩＥ１、ＩＥ２と第１及び第２液体ＬＱ１、ＬＱ２との間の接触が絶縁層１４８によって遮断されることができる。
【０１０３】
絶縁層１４８は、例えばパリレンＣ（ｐａｒｙｌｅｎｅ  Ｃ）コーティング剤から具現化されることができ、白色染料をさらに含むこともできる。白色染料は、キャビティＣＡの側壁ｉを成す絶縁層１４８で光が反射される頻度を増加させることができる。
【０１０４】
絶縁層１４８は、個別電極ＩＥ１、ＩＥ２と共通電極の少なくとも一つの電極（例えば、個別電極ＩＥ１、ＩＥ２を覆い、他の一つの電極（例えば、共通電極ＣＥ）の一部を露出させ、伝導性の第１液体ＬＱ１に電気エネルギーが印加されるようにすることができる。
【０１０５】
一方、また図４ａ〜図４ｃを参照すると、上部カバーＵＣは液体レンズ１４２の上面又は側面の少なくとも一つを取り囲むように配置されることができる。上部カバーＵＣは、第１〜第４外側面ＵＳ１〜ＵＳ４、トップ面ＵＴＳ、底面ＵＢＳ、第１接触面４００及び内側面４２０を含むことができる。
【０１０６】
上部カバーＵＣの第１及び第２外側面ＵＳ１、ＵＳ２は光軸方向ＬＸに垂直な方向（例えば、ｘ軸方向）に互いに対面するように配置され、第３及び第４外側面ＵＳ３、ＵＳ４は光軸方向ＬＸに垂直な方向（例えば、ｙ軸方向）に互いに対面するように配置されることができる。第１接触面４００は下部カバーＬＣと接触する面を意味することができる。
【０１０７】
上部カバーＵＣは、第１〜第８個別端子部ＥＴ１〜ＥＴ８を含むことができる。ここで、個別端子部ＥＴ１〜ＥＴ８の個数は個別電極セクターＥ１〜Ｅ８の個数と同一であるものとして例示されているが、実施例はこれに限られない。
【０１０８】
また、第１〜第８個別端子部ＥＴ１〜ＥＴ８は第１〜第８個別電極セクターＥ１〜Ｅ８とそれぞれ電気的に連結され、イメージセンサー１８２の光軸ＬＸに垂直な方向（例えば、ｘ軸方向）に露出されることができる。
【０１０９】
また、第１〜第８個別端子部ＥＴ１〜ＥＴ８はホルダー１２０の第１又は第２開口の少なくとも一つを通して露出されることができる。例えば、図４ａ〜図４ｃに示したように、第１〜第４個別端子部ＥＴ１〜ＥＴ４はホルダー１２０の第１開口ＯＰ１を通して露出され、第５〜第８個別端子部ＥＴ５〜ＥＴ８はホルダー１２０の第２開口ＯＰ２を通して露出されることができる。
【０１１０】
第１〜第８個別端子部ＥＴ１〜ＥＴ８は第１、第２、第３又は第４外側面ＵＳ１、ＵＳ２、ＵＳ３、ＵＳ４の少なくとも一面に配置されることができる。例えば、図４ａ〜図４ｃに示したように、第１〜第４個別端子部ＥＴ１〜ＥＴ４は第１外側面ＵＳ１に配置されることができる。また、第５〜第８個別端子部ＥＴ５〜ＥＴ８は第２外側面ＵＳ２に配置されることができる。
【０１１１】
また、上部カバーＵＣは、中央付近で光軸ＬＸ又は光軸ＬＸに平行な第２方向（例えば、ｚ軸方向）にイメージセンサー１８２の位置に対応する位置に配置された上部開口ＵＣＨをさらに含むことができる。上部開口ＵＣＨはトップ面ＵＴＳと底面ＵＢＳを貫通して形成されることができる。
【０１１２】
一方、再び図４ａ〜図４ｃを参照すると、上部カバーＵＣは、第１〜第８上側コンタクト部ＵＣＰ１〜ＵＣＰ８及び第１〜第８上側連結部ＵＣＣ１〜ＵＣＣ８をさらに含むことができる。
【０１１３】
第１上側コンタクト部ＵＣＰ１は第１個別電極セクターＥ１と電気的にコンタクトすることができる。第２上側コンタクト部ＵＣＰ２は第２個別電極セクターＥ２と電気的にコンタクトすることができる。第３上側コンタクト部ＵＣＰ３は第３個別電極セクターＥ３と電気的にコンタクトすることができる。第４上側コンタクト部ＵＣＰ４は第４個別電極セクターＥ４と電気的にコンタクトすることができる。第５上側コンタクト部ＵＣＰ５は第５個別電極セクターＥ５と電気的にコンタクトすることができる。第６上側コンタクト部ＵＣＰ６は第６個別電極セクターＥ６と電気的にコンタクトすることができる。第７上側コンタクト部ＵＣＰ７は第７個別電極セクターＥ７とそれぞれ電気的にコンタクトすることができる。第８上側コンタクト部ＵＣＰ８は第８個別電極セクターＥ８と電気的にコンタクトすることができる。このために、第１〜第８上側コンタクト部ＵＣＰ１〜ＵＣＰ８は上部カバーＵＣの底面ＵＢＳから第１〜第８個別電極セクターＥ１〜Ｅ８に向かってそれぞれ突出した形状を有することができる。
【０１１４】
また、第１上側連結部ＵＣＣ１は第１上側コンタクト部ＵＣＰ１と第１個別端子部ＥＴ１を電気的に連結することができる。第２上側連結部ＵＣＣ２は第２上側コンタクト部ＵＣＰ２と第２個別端子部ＥＴ２を電気的に連結することができる。第３上側連結部ＵＣＣ３は第３上側コンタクト部ＵＣＰ３と第３個別端子部ＥＴ３を電気的に連結することができる。第４上側連結部ＵＣＣ４は第４上側コンタクト部ＵＣＰ４と第４個別端子部ＥＴ４を電気的に連結することができる。第５上側連結部ＵＣＣ５は第５上側コンタクト部ＵＣＰ５と第５個別端子部ＥＴ５を電気的に連結することができる。第６上側連結部ＵＣＣ６は第６上側コンタクト部ＵＣＰ６と第６個別端子部ＥＴ６を電気的に連結することができる。第７上側連結部ＵＣＣ７は第７上側コンタクト部ＵＣＰ７と第７個別端子部ＥＴ７を電気的に連結することができる。第８上側連結部ＵＣＣ８は第８上側コンタクト部ＵＣＰ８と第８個別端子部ＥＴ８を電気的に連結することができる。このために、第１〜第８上側連結部ＵＣＣ１〜ＵＣＣ８は、上部カバーＵＣにおいて第１〜第８個別端子部ＥＴ１〜ＥＴ８が配置された第１及び第２外側面（例えば、ＵＳ１、ＵＳ２）と第１〜第８上側コンタクト部ＵＣＰ１〜ＵＣＰ８が配置された底面ＵＢＳを除いた面に配置されることができる。すなわち、第１〜第８上側連結部ＵＣＣ１〜ＵＣＣ８は、上部カバーＵＣのトップ面ＵＴＳ、第３外側面ＵＳ３、第４外側面ＵＳ４、上側コンタクト部ＵＣＰ１〜ＵＣＰ８が配置された内側面又は第１接触面４２０の少なくとも一面に配置されることができる。
【０１１５】
したがって、第１上側コンタクト部ＵＣＰ１と第１上側連結部ＵＣＣ１を介して第１個別電極セクターＥ１と第１個別端子部ＥＴ１が電気的に連結されることができる。第２上側コンタクト部ＵＣＰ２と第１上側連結部ＵＣＣ２を介して第２個別電極セクターＥ２と第２個別端子部ＥＴ２が電気的に連結されることができる。第３上側コンタクト部ＵＣＰ３と第３上側連結部ＵＣＣ３を介して第３個別電極セクターＥ３と第３個別端子部ＥＴ３が電気的に連結されることができる。第４上側コンタクト部ＵＣＰ４と第４上側連結部ＵＣＣ４を介して第４個別電極セクターＥ４と第１個別端子部ＥＴ４が電気的に連結されることができる。第５上側コンタクト部ＵＣＰ５と第５上側連結部ＵＣＣ５を介して第５個別電極セクターＥ５と第５個別端子部ＥＴ５が電気的に連結されることができる。第６上側コンタクト部ＵＣＰ６と第６上側連結部ＵＣＣ６を介して第６個別電極セクターＥ６と第６個別端子部ＥＴが電気的に連結されることができる。第７上側コンタクト部ＵＣＰ７と第７上側連結部ＵＣＣ７を介して第７個別電極セクターＥ７と第７個別端子部ＥＴ７を電気的に連結することができる。第８上側コンタクト部ＵＣＰ８と第８上側連結部ＵＣＣ８を介して第８個別電極セクターＥ８と第８個別端子部ＥＴ８を電気的に連結することができる。
【０１１６】
一方、下部カバーＬＣは上部カバーＵＣとともに液体レンズ１４２を取り囲むように配置されることができる。すなわち、下部カバーＬＣは液体レンズ１４２の下面又は側面の少なくとも一つを取り囲むように配置されることができる。
【０１１７】
下部カバーＵＣは、第１〜第４外側面ＬＳ１〜ＬＳ４、トップ面ＬＴＳ、底面ＬＢＳ、第２接触面４１０及び内側面４３０を含むことができる。下部カバーＬＣの第１及び第２外側面ＬＳ１、ＬＳ２は光軸方向ＬＸに垂直な方向（例えば、ｘ軸方向）に互いに対面するように配置され、第３及び第４外側面ＬＳ３、ＬＳ４は光軸方向ＬＸに垂直な方向（例えば、ｙ軸方向）に互いに対面するように配置されることができる。第２接触面４１０は上部カバーＵＣと接触する面を意味することができる。
【０１１８】
下部カバーＬＣは第１〜第ｎ共通端子部を含むことができる。ここで、１≦ｎ≦Ｎ。図４ａ〜図４ｃの場合、ｎ＝４であり、下部カバーＬＣは第１〜第４共通端子部ＣＴ１〜ＣＴ４を含むことができる。ここで、共通端子部ＣＴ１〜ＣＴ４の個数は共通電極セクターＣ１〜Ｃ４の個数と同一であるものとして例示されているが、実施例はこれに限られない。後述する図６ａ〜図６ｃに示したように、共通端子部の個数は２個であり、共通電極セクターの個数は４個であり得る。
【０１１９】
また、第１〜第４共通端子部ＣＴ１〜ＣＴ４は第１〜第４共通電極セクターＣ１〜Ｃ４とそれぞれ電気的に連結され、イメージセンサー１８２の光軸ＬＸに垂直な方向（例えば、ｘ軸方向）に露出されることができる。すなわち、第１〜第４共通端子部ＣＴ１〜ＣＴ４は第１〜第８個別端子部ＥＴ１〜ＥＴ８と同一方向に露出されることができる。この方向は、図２及び図３に示したように、液体レンズモジュール１４０がホルダー１２０の第１又は第２開口ＯＰ１、ＯＰ２に導入される方向であり得る。よって、第１〜第４共通端子部ＣＴ１〜ＣＴ４はホルダー１２０の第１又は第２開口ＯＰ１、ＯＰ２の少なくとも一つを通して露出されることができる。例えば、図４ａ〜図４ｃに示したように、第１〜第２共通端子部ＣＴ１、ＣＴ２はホルダー１２０の第１開口ＯＰ１を通して露出され、第３及び第４共通端子部ＣＴ３、ＣＴ４はホルダー１２０の第２開口ＯＰ２を通して露出されることができる。
【０１２０】
第１〜第４共通端子部ＣＴ１〜ＣＴ４は第１、第２、第３又は第４外側面ＬＳ１、ＬＳ２、ＬＳ３、ＬＳ４の少なくとも一面に配置されることができる。例えば、図４ａ〜図４ｃに示したように、第１及び第２共通端子部ＣＴ１、ＣＴ２は第１外側面ＬＳ１に配置されることができる。また、第３及び第４共通端子部ＣＴ３、ＣＴ４は第２外側面ＬＳ２に配置されることができる。
【０１２１】
また、下部カバーＬＣは、中央付近で光軸ＬＸ又は光軸ＬＸに平行な方向（例えば、ｚ軸方向）にイメージセンサー１８２の位置に対応する位置に配置された下部開口ＬＣＨをさらに含むことができる。下部開口ＬＣＨは下部カバーＬＣのトップ面ＬＴＳと底面ＬＢＳを貫通して形成されることができ、上部開口ＵＣＨと光軸方向に重畳することができる。
【０１２２】
また、図４ｂを参照すると、下部カバーＬＣは、第１〜第４下側コンタクト部ＬＣＰ１〜ＬＣＰ４及び第１〜第４下側連結部ＬＣＣ１〜ＬＣＣ４をさらに含むことができる。
【０１２３】
第１下側コンタクト部ＬＣＰ１は第１共通電極セクターＣ１と電気的にコンタクトすることができる。第２下側コンタクト部ＬＣＰ２は第２共通電極セクターＣ２と電気的にコンタクトすることができる。第３下側コンタクト部ＬＣＰ３は第３共通電極セクターＣ３と電気的にコンタクトすることができる。第４下側コンタクト部ＬＣＰ４は第４共通電極セクターＣ４と電気的にコンタクトすることができる。このために、第１〜第４下側コンタクト部ＬＣＰ１〜ＬＣＰ４は、下部カバーＬＣのトップ面ＬＴＳから第１〜第４共通電極セクターＣ１〜Ｃ４に向かってそれぞれ突出した形状を有することができる。
【０１２４】
また、第１下側連結部ＬＣＣ１は第１下側コンタクト部ＬＣＰ１と第１共通端子部ＣＴ１を電気的に連結することができる。また、第２下側連結部ＬＣＣ２は第２下側コンタクト部ＬＣＰ２と第２共通端子部ＣＴ２を電気的に連結することができる。また、第３下側連結部ＬＣＣ３は第３下側コンタクト部ＬＣＰ３と第３共通端子部ＣＴ３を電気的に連結することができる。また、第４下側連結部ＬＣＣ４は第４下側コンタクト部ＬＣＰ４と第４共通端子部ＣＴ４を電気的に連結することができる。このために、第１〜第４下側連結部ＬＣＣ１〜ＬＣＣ４は、下部カバーＬＣにおいて底面ＬＢＳ、第３外側面ＬＳ３、第４外側面ＬＳ４、第１〜第４共通端子部ＣＴ１〜ＣＴ４が配置された第１及び第２外側面（例えば、ＬＳ１、ＬＳ２）及び第１〜第４下側コンタクト部ＬＣＰ１〜ＬＣＰ８が配置されたトップ面ＬＴＳを除いた面に配置されることができる。すなわち、第１〜第４下側連結部ＬＣＣ１〜ＬＣＣ４は下部カバーＬＣの第２接触面４１０又は内側面４３０の少なくとも一面に配置されることができる。
【０１２５】
したがって、第１下側コンタクト部ＬＣＰ１及び第１下側連結部ＬＣＣ１を介して第１共通電極セクターＣ１と第１共通端子部ＣＴ１が電気的に連結されることができる。第２下側コンタクト部ＬＣＰ２及び第２下側連結部ＬＣＣ２を介して第２共通電極セクターＣ１と第２共通端子部ＣＴ２が電気的に連結されることができる。第３下側コンタクト部ＬＣＰ３及び第３下側連結部ＬＣＣ３を介して第３共通電極セクターＣ３と第３共通端子部ＣＴ３が電気的に連結されることができる。第４下側コンタクト部ＬＣＰ４及び第４下側連結部ＬＣＣ４を介して第４共通電極セクターＣ４と第４共通端子部ＣＴ４が電気的に連結されることができる。
【０１２６】
また、図４ｂ及び図４ｃに示したように、上部カバーＵＣは第１接触面４００に形成された複数の溝部Ｒを含み、下部カバーＬＣは第２接触面４１０に複数の溝部Ｒに対応する位置に対応する形状に突出した複数の突起Ｐを含むことができる。
【０１２７】
これと反対に、図４ｂ及び図４ｃに示したものとは違い、上部カバーＵＣは第１接触面４００から突出した複数の突起Ｐを含み、下部カバーＬＣは第２接触面４１０に複数の突起に対応する位置に対応形状に形成された複数の溝部Ｒを含むことができる。
【０１２８】
上部カバーＵＣと下部カバーＬＣは多様な方法で互いに結合されることができる。例えば、上部カバーＵＣと下部カバーＬＣは突起Ｐが溝部Ｒに挿入されることによって結合されることができ、接着剤を用いて互いに結合されることもでき、実施例は上部カバーＵＣと下部カバーＬＣが結合する特定の方法に限られない。
【０１２９】
また、突起Ｐと溝部Ｒによって上部カバーＵＣと下部カバーＬＣが互いに整列されることもできる。
【０１３０】
また、上部カバーＵＣと下部カバーＬＣのそれぞれは絶縁性を有する物質から具現化されることができる。
【０１３１】
図６ａは他の実施例による液体レンズモジュール１４０Ｂの結合斜視図、図６ｂは図６ａに示した液体レンズモジュール１４０Ｂの上側分解斜視図、図６ｃは図６ａに示した液体レンズモジュール１４０Ｂの下側分解斜視図を示す。
【０１３２】
図６ａ〜図６ｃに示した液体レンズモジュール１４０Ｂにおいて、図４ａ〜図４ｃに示した液体レンズモジュール１４０Ａと違う部分のみについて説明する。よって、図６ａ〜図６ｃに示した液体レンズモジュール１４０Ｂで説明しなかった部分は図４ａ〜図４ｃに示した液体レンズモジュール１４０Ａについての説明を適用することができる。
【０１３３】
図６ｃを参照すると、上部カバーＵＣは、第１〜第８上側コンタクト部ＵＣＰ１〜ＵＣＰ８及び第１〜第８上側連結部ＵＣＣ１〜ＵＣＣ８を含むことができる。
【０１３４】
第１〜第８上側コンタクト部ＵＣＰ１〜ＵＣＰ８は第１〜第８個別電極セクターＥ１〜Ｅ８とそれぞれ電気的にコンタクトすることができる。このために、第１〜第８上側コンタクト部ＵＣＰ１〜ＵＣＰ８は第１〜第８コンタクト通孔及び第１〜第８導電型部材（例えば、５００）を含むことができる。第１〜第８コンタクト通孔ＵＣＰ１〜ＵＣＰ８は第１〜第８個別電極セクターＥ１〜Ｅ８にそれぞれ対応する位置に形成されることができる。第１〜第８導電型部材は第１〜第８コンタクト通孔にそれぞれ埋め込まれて第１〜第８個別電極セクターＥ１〜Ｅ８と第１〜第８上側連結部ＵＣＣ１〜ＵＣＣ８をそれぞれ電気的に連結することができる。第１〜第８導電型部材のそれぞれは金属（例えば、Ａｇ）を含むエポキシであり得るが、実施例はこれに限られない。
【０１３５】
また、図６ｂで円形点線の内部に示したように、各コンタクト通孔は上部カバーＵＣのトップ面ＵＴＳから所定の深さ（例えば、ｔ）だけ深い位置に形成されることができる。これは、導電型部材５００がコンタクト通孔に埋め込まれてから溢れる場合、溢れる導電型部材５００を収容するためである。
【０１３６】
また、第１〜第８上側連結部ＵＣＣ１〜ＵＣＣ８は、第１〜第８上側コンタクト部ＵＣＰ１〜ＵＣＰ８と第１及び第８個別端子部ＥＴ１〜ＥＴ８をそれぞれ連結することができる。このために、第１〜第８上側連結部ＵＣＣ１〜ＵＣＣ８は上部カバーＵＣのトップ面ＵＴＳに配置されることができる。
【０１３７】
下部カバーＬＣは第１及び第２共通端子部ＣＴ１、ＣＴ２を含むことができる。図６ａ〜図６ｃの場合、ｎ＝２の場合である。ここで、共通端子部ＣＴ１、ＣＴ２の個数は共通電極セクターＣ１〜Ｃ４の個数より少ない。これは、第１及び第２共通端子部ＣＴ１、ＣＴ２のそれぞれが第１〜第４下側コンタクト部ＬＣＰ１〜ＬＣＰ４の中で隣接した下側コンタクト部と電気的に連結されるからである。
【０１３８】
例えば、第１共通端子部ＣＴ１は第１下側連結部ＬＣＣ１及び第２下側連結部ＬＣＣ２と電気的に連結され、第２共通端子部ＣＴ２は第３下側連結部ＬＣＣ３及び第４下側連結部ＬＣＣ４と電気的に連結される。このように、第１〜第４下側コンタクト部ＬＣＰ１〜ＬＣＰ４の中で隣接した２個の下側コンタクト部ＬＣＰ１、ＬＣＰ２又はＬＣＰ３、ＬＣＰ４が一つの共通端子部を共有することができる。ここで、共通端子部の個数（ｎ）は共通電極セクターの個数（Ｎ）の半分であり得る。
【０１３９】
また、第１及び第２共通端子部ＣＴ１、ＣＴ２はイメージセンサー１８２の光軸ＬＸに垂直な方向（例えば、ｘ軸方向）に露出されることができる。すなわち、第１及び第２共通端子部ＣＴ１、ＣＴ２は第１〜第８個別端子部ＥＴ１〜ＥＴ８と同じ方向に露出されることができる。
【０１４０】
また、第１及び第２共通端子部ＣＴ１、ＣＴ２はホルダー１２０の第１又は第２開口の少なくとも一つを通して露出されることができる。例えば、図６ａ〜図６ｃに示したように、第１共通端子部ＣＴ１は第１〜第４個別端子部ＥＴ１〜ＥＴ４とともにホルダー１２０の第１開口ＯＰ１を通して露出され、第２共通端子部ＣＴ２は第５〜第８個別端子部ＥＴ５〜ＥＴ８とともにホルダー１２０の第２開口ＯＰ２を通して露出されることができる。
【０１４１】
第１及び第２共通端子部ＣＴ１、ＣＴ２は、第１、第２、第３又は第４外側面ＬＳ１、ＬＳ２、ＬＳ３、ＬＳ４の少なくとも一面に配置されることができる。例えば、図６ａ〜図６ｃに示したように、第１共通端子部ＣＴ１は第１外側面ＬＳ１に配置され、第２共通端子部ＣＴ２は第２外側面ＬＳ２に配置されることができる。
【０１４２】
また、第１〜第４下側連結部ＬＣＣ１〜ＬＣＣ４は第１〜第４下側コンタクト部ＬＣＰ１〜ＬＣＰ４と第１〜第４共通端子部ＣＴ１〜ＣＴ４をそれぞれ連結することができる。このために、第１〜第４下側連結部ＬＣＣ１〜ＬＣＣ４は、下部カバーＬＣのトップ面ＬＴＳ及び底面ＬＢＳ、及び第１及び第２共通端子部ＣＴ１、ＣＴ２が配置された外側面（例えば、ＬＳ１、ＬＳ２）を除いた面に配置されることができる。すなわち、第１〜第４下側連結部ＬＣＣ１〜ＬＣＣ４は、下部カバーＬＣの第２接触面４１０、内側面４３０、第３外側面ＬＳ３又は第４外側面ＬＳ４の少なくとも一面に配置されることができる。
【０１４３】
図７ａはさらに他の実施例による液体レンズモジュール１４０Ｃの結合斜視図、図７ｂは図７ａに示した液体レンズモジュール１４０Ｃの上側分解斜視図、図７ｃは図７ａに示した液体レンズモジュール１４０Ｃの下側分解斜視図を示す。
【０１４４】
図７ａ〜図７ｃに示した液体レンズモジュール１４０Ｃにおいて、図４ａ〜図４ｃに示した液体レンズモジュール１４０Ａと違う部分のみについて説明する。よって、図７ａ〜図７ｃに示した液体レンズモジュール１４０Ｃで説明しなかった部分は図４ａ〜図４ｃに示した液体レンズモジュール１４０Ａについての説明を適用することができる。
【０１４５】
図７ｂで、個別電極セクターＥ１〜Ｅ８の平面は互いに同じか異なることができる。例えば、第１、第３、第５及び第７個別電極セクターＥ１、Ｅ３、Ｅ５、Ｅ７のｙ軸方向への幅（ｒ／２）は第２、第４、第６及び第８個別電極セクターＥ２、Ｅ４、Ｅ６、Ｅ８のｙ軸方向への幅（ｒ）より小さいことができる。
【０１４６】
下部カバーＵＣは、カバーフレーム６００及び連結基板６１０を含むことができる。
【０１４７】
カバーフレーム６００は液体レンズ１４２の側部６２０を取り囲むように配置されることができ、上部カバーＵＣと連結基板６１０との間に配置されることができる。
【０１４８】
連結基板６１０はカバーフレーム６００とともに液体レンズ１４２を取り囲むように配置され、第１〜第４共通電極セクターＣ１〜Ｃ４と連結された共通端子部ＯＴを含むことができる。例えば、連結基板６１０はカバーフレーム６００の下に配置され、カバーフレーム６００とともに液体レンズ１４２を取り囲むように配置されることができる。連結基板６１０はプレート形状であり得る。プレートは金属であり得る。
【０１４９】
連結基板６１０は、基板フレーム６１２、外側端子部ＯＴ及び第１〜第４内側突出部ＩＴ１〜ＩＴ４を含むことができる。
【０１５０】
外側端子部ＯＴは基板フレーム６１２の外側から第１方向（ｘ軸方向）に突出し、図４ａ〜図４ｃ又は図６ａ〜図６ｃに示した共通端子部ＣＴ１、ＣＴ２、ＣＴ３又はＣＴ４と同じ役割をすることができる。
【０１５１】
第１〜第４内側端子部ＩＴ１〜ＩＴ４は、基板フレーム６１２の内側から突出して第１〜第４共通電極セクターＣ１〜Ｃ４とそれぞれ接するように配置されることができる。
【０１５２】
また、共通端子部ＯＴは第１〜第４共通電極セクターＣ１〜Ｃ４と基板フレーム６１２を介して電気的に連結されることができる。よって、下部カバーＬＣの共通端子部ＯＴの個数は１個であり、共通電極セクターＣ１〜Ｃ４の個数より少ないことができる。共通端子部ＯＴはイメージセンサー１８２の光軸ＬＸに垂直な方向（例えば、ｘ軸方向）に露出されることができる。すなわち、共通端子部ＯＴは第１〜第８個別端子部ＥＴ１〜ＥＴ８と同じ方向に配置されることができる。
【０１５３】
また、共通端子部ＯＴはホルダー１２０の第１又は第２開口の少なくとも一つを通して露出されることができる。例えば、図７ａ〜図７ｃに示したように、共通端子部ＯＴはホルダー１２０の第１開口ＯＰ１を通して第１〜第８個別端子部ＥＴ１〜ＥＴ８とともに露出されることができる。
【０１５４】
また、下部カバーＬＣは、光軸ＬＸ又は光軸ＬＸに平行な方向（例えば、ｚ軸方向）にイメージセンサー１８２の位置に対応する位置に配置された下部開口ＬＣＨをさらに含むことができる。下部開口ＬＣＨは、第１及び第２下部開口ＬＣＨ１、ＬＣＨ２を含むことができる。第１下部開口ＬＣＨ１はカバーフレーム６００の中央付近で光軸ＬＸ又は光軸ＬＸに平行な方向（例えば、ｚ軸方向）にイメージセンサー１８２の位置に対応する位置に形成され、第２下部開口ＬＣＨ２は連結基板６１０の中央付近で光軸ＬＸ又は光軸ＬＸに平行な方向（例えば、ｚ軸方向）にイメージセンサー１８２の位置に対応する位置に形成されることができる。第１及び第２下部開口ＬＣＨ１、ＬＣＨ２は光軸ＬＸ又は光軸ＬＸに平行な方向（例えば、ｚ軸方向）に互いに重畳して配置されることができる。
【０１５５】
上部カバーＵＣと下部カバーＬＣは多様な方法で互いに結合されることができる。例えば、上部カバーＵＣと下部カバーＬＣのカバーフレーム６００は接着剤を用いて互いに結合されることもできる。
【０１５６】
一方、前述した第１〜第８個別端子部ＥＴ１〜ＥＴ８及び第１〜第４共通端子部ＣＴ１〜ＣＴ４はメイン基板１５０と多様な形態で電気的に連結されることができる。例えば、導電型（例えば、Ａｇ）エポキシ、ソルダリング又はワイヤボンディングによって第１〜第８個別端子部ＥＴ１〜ＥＴ８及び第１〜第４共通端子部ＣＴ１〜ＣＴ４はメイン基板１５０と電気的に連結されることができる。すなわち、メイン基板１５０は第１〜第８個別端子部ＥＴ１〜ＥＴ８及び第１〜第４共通端子部ＣＴ１〜ＣＴ４を介して液体レンズ１４２に駆動電圧を供給することができる。
【０１５７】
また、前述した第１〜第８上側連結部ＵＣＣ１〜ＵＣＣ８は、上部カバーＵＣに多様な形態で結合、接触、配置され、前述した第１〜第４下側連結部ＬＣＣ１〜ＬＣＣ４は下部カバーＬＣに多様な形態で結合、接触、配置されることができる。
【０１５８】
第１〜第８個別端子部ＥＴ１〜ＥＴ８及び第１〜第４共通端子部ＣＴ１〜ＣＴ４を介して駆動電圧が印加されるとき、第１液体ＬＱ１と第２液体ＬＱ２との間の界面ＢＯが変形し、液体レンズ１４２の曲率のような形状又は焦点距離の少なくとも一つが変更（又は、調整）されることができる。例えば、駆動電圧に応じて液体レンズ１４２内に形成される界面ＢＯの屈曲又は傾斜度の少なくとも一つが変わって液体レンズ１４２の焦点距離が調整されることができる。このような界面ＢＯが変形するか曲率半径が制御されれば、液体レンズ１４２、液体レンズ１４２を含むレンズアセンブリー１１０、１２０、１３０、１４０、カメラモジュール１００及び光学機器はＡＦ機能、ＯＩＳ機能などを果たすことができる。
【０１５９】
第１〜第８個別端子部ＥＴ１〜ＥＴ８は互いに異なる８個の駆動電圧（以下、‘個別電圧’という）を液体レンズ１４２に伝達することができ、第１〜第４共通端子部ＣＴ１〜ＣＴ４駆動電圧（以下、‘共通電圧’という）を液体レンズ１４２に伝達することができる。共通電圧はＤＣ電圧又はＡＣ電圧を含むことができ、共通電圧がパルス形態で印加される場合、パルスの幅又はデューティーサイクル（ｄｕｔｙ  ｃｙｃｌｅ）は一定であり得る。
【０１６０】
また、液体レンズモジュール１４０Ａ、１４０Ｂ、１４０Ｃは、第１又は第２接着部材ＣＭＥＭ１、ＣＭＥＭ２の少なくとも一つをさらに含むことができる。第１接着部材ＣＭＥＭ１は上部カバーＵＣと液体レンズ１４２との間の第１空間ＳＰ１に配置され、第２接着部材ＣＭＥＭ２は下部カバーＬＣと液体レンズ１４２との間の第２空間ＳＰ２に配置されることができる。ここで、第１接着部材ＣＭＥＭ１は、上側開口ＵＣＨ及び下側開口ＬＣＨとそれぞれ光軸方向に重畳する位置及び個別電極パッドＥ１〜Ｅ８上には配置されなくてもよい。第２接着部材ＣＭＥＭ２は上側開口ＵＣＨ及び下側開口ＬＣＨとそれぞれ光軸方向に重畳することができる。
【０１６１】
例えば、第１及び第２接着部材ＣＭＥＭ１、ＣＭＥＭ２は液体レンズ１４２の上面と下面にそれぞれフィルム形態に付着されるかペースト形態に配置されることができるが、実施例はこれに限られない。
【０１６２】
図８はカメラモジュール２００の概略ブロック図である。
【０１６３】
図８を参照すると、カメラモジュール２００は、制御回路２１０及びレンズアセンブリー２５０を含むことができる。制御回路２１０は図１に示した制御回路２４又は図２に示したメイン基板１５０に相当し、レンズアセンブリー２５０は図１に示したレンズアセンブリー２２又は図２に示したレンズアセンブリー１１０、１２０、１３０、１４０に相当することができる。
【０１６４】
制御回路２１０は制御部２２０を含むことができ、液体レンズ２８０を含む液体レンズモジュール１４０の動作を制御することができる。
【０１６５】
制御部２２０はＡＦ機能及びＯＩＳ機能をするための構成を有し、使用者の要求又は感知結果（例えば、ジャイロセンサー２２Ａ、２２Ｂの動き信号など）を用いてレンズアセンブリー２５０に含まれた液体レンズ２８０を制御することができる。ここで、液体レンズ２８０は前述した液体レンズ１４２に相当することができる。
【０１６６】
制御部２２０は、ジャイロセンサー２２５、コントローラー２３０及び電圧ドライバー２３５を含むことができる。ジャイロセンサー２２５は制御部２２０に含まれていない独立した構成であってもよく、制御部２２０に含まれることもできる。
【０１６７】
ジャイロセンサー２２５は、光学機器の上下及び左右への手ぶれを補償するために、ヨー（Ｙａｗ）軸とピッチ（Ｐｉｔｃｈ）軸の２方向の動きの角速度を感知することができる。ジャイロセンサー２２５は、感知された角速度に相応する動き信号を生成してコントローラー２３０に提供することができる。
【０１６８】
コントローラー２３０は、ＯＩＳ機能を具現化するために、低域通過フィルター（ＬＰＦ：Ｌｏｗ  Ｐａｓｓ  Ｆｉｌｔｅｒ）を用いて動き信号から高周波数のノイズ成分を除去して所望帯域のみ抽出し、ノイズの除去された動き信号を使って手ぶれ量を計算し、計算された手ぶれ量を補償するために、液体レンズモジュール２６０の液体レンズ２８０が有しなければならない形状に対応する駆動電圧を計算することができる。
【０１６９】
コントローラー２３０は、光学機器又はカメラモジュール２００の内部（例えば、イメージセンサー１８２）又は外部（例えば、距離センサー又はアプリケーションプロセッサ）からＡＦ機能のための情報（すなわち、客体との距離情報）を受信することができ、距離情報から客体に焦点を合わせるための焦点距離によって液体レンズ２８０が有しなければならない形状に対応する駆動電圧を計算することができる。
【０１７０】
コントローラー２３０は、駆動電圧と駆動電圧を電圧ドライバー２３５が生成するようにするための駆動電圧コードをマッピングした駆動電圧テーブルを保存することができ、計算された駆動電圧に対応する駆動電圧コードを駆動電圧テーブルを参照して獲得し、獲得された駆動電圧コードを電圧ドライバー２３５に出力することができる。
【０１７１】
電圧ドライバー２３５は、コントローラー２３０から提供されたデジタル形態の駆動電圧コードに基づき、駆動電圧コードに相応するアナログ形態の駆動電圧を生成してレンズアセンブリー２５０に提供することができる。
【０１７２】
電圧ドライバー２３５は、供給電圧（例えば、別途の電源回路から供給された電圧）を受けて電圧レベルを増加させる電圧ブースター、電圧ブースターの出力を安定させるための電圧安定器、及び液体レンズ２８０の各端子に電圧ブースターの出力を選択的に供給するためのスイッチング部を含むことができる。
【０１７３】
ここで、スイッチング部はＨブリッジ（Ｈ  Ｂｒｉｄｇｅ）と呼ばれる回路の構成を含むことができる。電圧ブースターから出力された高電圧がスイッチング部の電源電圧に印加される。スイッチング部は、印加される電源電圧とグラウンド電圧（ｇｒｏｕｎｄ  ｖｏｌｔａｇｅ）を選択的に液体レンズ２８０の両端に供給することができる。ここで、液体レンズ２８０は、駆動のために、８個の個別電極セクターＥ１〜Ｅ８及び４個の共通電極セクターＣ１〜Ｃ４を含むことは前述したものと同様である。液体レンズ２８０の両端は第１〜第８個別電極セクターＥ１〜Ｅ８のいずれか一つと４個の共通電極セクターＣ１〜Ｃ４のいずれか一つを意味することができる。液体レンズ２８０の各電極セクターに既定の幅を有するパルス形態の電圧が印加されることができ、液体レンズ２８０に印加される駆動電圧は個別電極と共通電極に印加される電圧の差である。
【０１７４】
また、電圧ドライバー２３５がコントローラー２３０から提供されたデジタル形態の駆動電圧コードによって液体レンズ２８０に印加される駆動電圧を制御するために、電圧ブースターは増加する電圧レベルを制御し、スイッチング部は共通電極と個別電極に印加されるパルス電圧の位相を制御することにより、駆動電圧コードに相応するアナログ形態の駆動電圧が生成されるようにする。
【０１７５】
すなわち、制御部２２０は、個別電極と共通電極のそれぞれに印加される電圧を制御することができる。
【０１７６】
制御回路２１０は、制御回路２１０の通信又はインターフェースの機能を果たすコネクタ（図示せず）をさらに含むことができる。例えば、Ｉ２Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクタは通信プロトコル変換を遂行することができる。また、コネクタは、外部（例えば、バッテリー）から電源を受け、制御部２２０及びレンズアセンブリー２５０の動作に必要な電源を供給することができる。この場合、コネクタは図２に示したコネクタ１５３に相当することができる。
【０１７７】
レンズアセンブリー２５０は液体レンズモジュール２６０を含むことができ、液体レンズモジュール２６０は駆動電圧提供部２７０及び液体レンズ２８０を含むことができる。
【０１７８】
駆動電圧提供部２７０は、電圧ドライバー２３５から駆動電圧を受け、液体レンズ２８０に駆動電圧を提供することができる。駆動電圧提供部２７０は、制御回路２１０とレンズアセンブリー２５０との間の端子連結による損失を補償するための電圧調整回路（図示せず）又はノイズ除去回路（図示せず）を含むこともでき、又は電圧ドライバー２３５から提供される電圧を液体レンズ２８０にバイパス（ｂｙｐａｓｓ）することもできる。
【０１７９】
駆動電圧提供部２７０は連結部１５２の少なくとも一部を構成するＦＰＣＢ（又は、基板）に配置されることができるが、実施例はこれに限定されない。連結部１５２は駆動電圧提供部２７０を含むことができる。
【０１８０】
液体レンズ２８０は、駆動電圧によって第１液体ＬＱ１と第２液体ＬＱ２との間の界面ＢＯが変形してＡＦ機能又はＯＩＳ機能の少なくとも一つを果たすことができる。
【０１８１】
前述した実施例による液体レンズモジュール１４０Ａ、１４０Ｂの上部カバーＵＣ及び下部カバーＬＣと実施例による液体レンズモジュール１４０Ｃの上部カバーＵＣはＬＤＳ（Ｌａｓｅｒ  Ｄｉｒｅｃｔ  Ｓｔｒｕｃｔｕｒｉｎｇ）によって具現化されることができ、液体レンズモジュール１４０Ｃの下部カバーＬＣはインサートモールドタイプ（ｉｎｓｅｒｔ  ｔｙｐｅ）によって具現化されることができるが、実施例は液体レンズモジュール１４０Ａ、１４０Ｂ、１４０Ｃが具現化される特定の方法に限られない。
【０１８２】
一方、比較例及び実施例による液体レンズモジュールを添付図面を参照して次のように比較して説明する。
【０１８３】
図９は比較例による液体レンズモジュールの上側斜視図を示す。
【０１８４】
図９に示した比較例による液体レンズモジュールは、液体レンズ１４２、第１及び第２連結基板６４４、６４６及びスペーサー１４３を含むことができる。液体レンズ１４２は実施例による液体レンズ１４２に相当するので、同じ参照符号を使う。メイン基板（実施例メイン基板１５０に相当）から供給される駆動電圧は第１連結基板６４４と第２連結基板６４６を通して液体レンズ１４２に提供されることができる。すなわち、個別電圧は第１連結基板６４４を介して個別電極セクターに提供され、共通電圧は第２連結基板６４６を介して個別電極セクターに提供されることができる。また、スペーサー１４３は液体レンズ１４２を取り囲むように配置されるが、外部に露出された液体レンズ１４２の上部と下部を外部衝撃から保護しにくい。
【０１８５】
図９に示した比較例による液体レンズモジュールは、液体レンズ１４２の他に第１及び第２連結基板６４４、６４６とスペーサー１４３を含む反面、図４ａ〜図４ｃ又は図６ａ〜図６ｃに示した実施例による液体レンズモジュール１４０Ａ、１４０Ｂは液体レンズ１４２の他に上部カバーＵＣ及び下部カバーＬＣを含み、第１及び第２連結基板６４４、６４６とスペーサー１４３を含まない。また、図７ａ〜図７ｃに示した実施例による液体レンズモジュール１４０Ｃは、液体レンズ１４２の他に上部カバーＵＣ、カバーフレーム６００及び連結基板６１０を含み、第１連結基板６４４とスペーサー１４３を含まない。なぜなら、カバーフレーム６００と連結基板６１０がスペーサー１４３の役割をし、第１〜第Ｍ個別端子部ＥＴ１〜ＥＴＭが第１連結基板６４４の役割をするからである。このように、実施例による液体レンズモジュール１４０Ａ、１４０Ｂ、１４０Ｃはその部品数が比較例による液体レンズモジュールの部品数より少なく、管理項目が減少することができる。
【０１８６】
また、比較例による液体レンズモジュールは部品数が多いため、累積公差が発生し、不良率が増加することができる反面、実施例による液体レンズモジュール１４０Ａ、１４０Ｂ、１４０Ｃは部品数が比較例より少ないので、製造工程の回数及び時間が減少し、累積公差が発生せず、不良率が減少することができる。例えば、実施例による液体レンズモジュールを製造する場合、ＵＶ硬化又は熱硬化にかかる製作期間が、例えば１時間に短縮することができる。
【０１８７】
また、比較例による液体レンズモジュールの場合、液体レンズ１４２の側部はスペーサー１４３によって保護されると言っても、上部と下部は外部に露出されて衝撃に脆弱であり得る。一方、実施例による液体レンズモジュール１４０Ａ、１４０Ｂは、上部カバーＵＣと下部カバーＬＣによって液体レンズ１４２の上部と側部がいずれも外部に露出されないように密封することができ、実施例による液体レンズモジュール１４０Ｃは上部カバーＵＣによって液体レンズ１４２の上部が外部に露出されないようにするので、図９に示した比較例より相対的に外部の衝撃に強くすることができる。
【０１８８】
また、比較例による液体レンズモジュールの場合、部品の個別公差が大きい。例えば、第１及び第２連結基板６４４、６４６をベンディングして液体レンズ１４２をメイン基板に連結する場合、ベンディングされた第１及び第２連結基板６４４、６４６とメイン基板との間の個別公差又は第１及び第２連結基板６４４、６４６と液体レンズ１４２との間の個別公差が大きくなってひんぱんなコンタクト問題が発生し得る。一方、実施例による液体レンズモジュール１４０Ａ〜１４０Ｃの場合、メイン基板１５０から供給される供給電圧を第１〜第Ｍ個別端子部ＥＴ１〜ＥＴ８と第１〜第ｎ共通端子部（例えば、ＣＴ１〜ＣＴ４）を介して受けて液体レンズ１４２に提供するので、比較例より個別公差が大きくなく、コンタクト問題を発生しないことができる。例えば、上部カバーＵＣ及び下部カバーＬＣが絶縁性を有するプラスチックから具現化される場合、プラスチック射出公差は−０．０２〜０．０３又は０．０２〜０．０３と非常に小さいことができる。
【０１８９】
また、比較例のように液体レンズモジュールが具現化される場合、不安定な構造によって量産が難しい反面、実施例の液体レンズモジュールは上部カバーＵＣ及び下部カバーＬＣが液体レンズモジュール１４２を覆う安定的な構造によって量産が可能である。
【０１９０】
また、比較例のように、液体レンズモジュールが、図２及び図３に示したように、ホルダー１２０に挿入される場合、ホルダー１２０に挿入された液体レンズモジュールはｙ軸方向に露出されない。よって、比較例による液体レンズモジュールは個別電極セクターの個数が４より大きい場合に用いることができない反面、実施例の液体レンズモジュールは個別電極セクターの個数が４個より多い８個の場合にもメイン基板１５０との電気的連結が容易であり得る。
【０１９１】
また、実施例のように第１〜第Ｍ個別端子部ＥＴ１〜ＥＴ８と第１〜第ｎ共通端子部（例えば、ＣＴ１〜ＣＴ４）に駆動電圧を供給してアクティブアラインを遂行する場合、コンタクトが容易になることができる。例えば、アクティブアラインを遂行するために、上部カバーＵＣの第１及び第２外側面ＵＳ１、ＵＳ２をグリップ（ｇｒｉｐ）することができる。
【０１９２】
前述した実施例によるレンズアセンブリーを含むカメラモジュール１００を用いて光学機器を具現化することができる。ここで、光学機器としては、光信号を加工するか分析することができる装置を含むことができる。光学機器の例としては、カメラ／ビデオ装置、望遠鏡装置、顕微鏡装置、干渉計装置、光度計装置、偏光計装置、分光計装置、反射計装置、オートコリメータ装置、レンズメーター装置などがあり、レンズアセンブリーを含むことができる光学機器に本実施例を適用することができる。
【０１９３】
また、光学機器は、スマートフォン、ノートブック型コンピュータ、タブレット型コンピュータなどの携帯用装置に具現化されることができる。このような光学機器は、カメラモジュール１００、映像を出力するディスプレイ部（図示せず）、カメラモジュール１００に電源を供給するバッテリー（図示せず）、及びカメラモジュール１００、ディスプレイ部及びバッテリーを実装する本体ハウジングを含むことができる。光学機器は、他の機器と通信することができる通信モジュールと、データを記憶することができるメモリ部とをさらに含むことができる。通信モジュールとメモリ部も本体ハウジングに実装されることができる。
【０１９４】
実施例に関連して前述したようにいくつかのみ記述したが、その他にも多様な形態の実施が可能である。前述した実施例の技術的内容は互いに両立することができない技術ではない限り、多様な形態で組み合わせられることができ、これにより新しい実施形態に具現化されることもできる。
【０１９５】
本発明は本発明の精神及び必須の特徴から逸脱しない範囲で他の特定の形態に具体化することができることは当業者に明らかである。したがって、前記詳細な説明は全ての面で制限的に解釈されてはならず例示的なものとして考慮されなければならない。本発明の範囲は添付の請求項の合理的解釈によって決定されなければならず、本発明の等価的範囲内の全ての変更は本発明の範囲に含まれる。
【０１９６】
［発明の実施のための形態］
発明の実施のための形態は前述した“発明を実施するための形態”で充分に説明された。
【産業上の利用可能性】
【０１９７】
実施例による液体レンズモジュール、これを含むレンズアセンブリー及びこのアセンブリーを含むカメラモジュールは、カメラ／ビデオ装置、望遠鏡装置、顕微鏡装置、干渉計装置、光度計装置、偏光計装置、分光計装置、反射計装置、オートコリメータ装置、レンズメーター装置、スマートフォン、ノートブック型コンピュータ、タブレット型コンピュータなどに適用可能である。
【図１】
2021512361.tif 000003
【図２】
2021512361.tif 000004
【図３】
2021512361.tif 000005
【図４ａ】
2021512361.tif 000006
【図４ｂ】
2021512361.tif 000007
【図４ｃ】
2021512361.tif 000008
【図５】
2021512361.tif 000009
【図６ａ】
2021512361.tif 000010
【図６ｂ】
2021512361.tif 000011
【図６ｃ】
2021512361.tif 000012
【図７ａ】
2021512361.tif 000013
【図７ｂ】
2021512361.tif 000014
【図７ｃ】
2021512361.tif 000015
【図８】
2021512361.tif 000016
【図９】
2021512361.tif 000017
【手続補正書】
【提出日】令和2年9月30日(2020.9.30)
【手続補正１】
【補正対象書類名】明細書
【補正対象項目名】０００７
【補正方法】変更
【補正の内容】
【０００７】
一実施例によるカメラモジュールは、第１〜第Ｍ（ここで、Ｍは２以上の正の整数）個別電極セクター及び第１〜第Ｎ（ここで、Ｎは１以上の正の整数）共通電極セクターを含む液体レンズと、前記第１〜第Ｍ個別電極セクターとそれぞれ電気的に連結され、イメージセンサーの光軸に垂直な第１方向に露出された第１〜第Ｍ個別端子部を含む上部カバーと、前記上部カバーとともに前記液体レンズを取り囲み、前記第１〜第ｎ共通電極セクターと電気的に連結され、前記第１方向に露出された第１〜第ｎ（ここで、１≦ｎ≦Ｎ）共通端子部を含む下部カバーと、を含むことができる。
【手続補正２】
【補正対象書類名】明細書
【補正対象項目名】００１２
【補正方法】変更
【補正の内容】
【００１２】
例えば、前記上部カバーは、前記第１〜第Ｍ個別電極セクターとそれぞれ電気的にコンタクトする第１〜第Ｍ上側コンタクト部と、第１〜第Ｍ上側コンタクト部と前記第１〜第Ｍ個別端子部をそれぞれ電気的に連結する第１〜第Ｍ上側連結部とを含むことができる。
【手続補正３】
【補正対象書類名】明細書
【補正対象項目名】００１５
【補正方法】変更
【補正の内容】
【００１５】
例えば、前記下側カバーは、前記第１〜第ｎ共通電極セクターとそれぞれ電気的にコンタクトする第１〜第ｎ下側コンタクト部と、第１〜第ｎ下側コンタクト部と前記第１〜第Ｎ共通端子部を電気的に連結する第１〜第ｎ下側連結部とを含むことができる。
【手続補正４】
【補正対象書類名】明細書
【補正対象項目名】００６０
【補正方法】変更
【補正の内容】
【００６０】
また、ホルダー１２０に配置される第１レンズ部１１０が外部光に露出されるように、第１カバー１７０はその第１カバー１７０の上面に形成された上側開口１７０Ｈを含むことができる。また、上側開口１７０Ｈには光透過性物質から構成されたウィンドウが配置されることができ、これにより、カメラモジュール１００の内部でほこりや水分などの異物が浸透することを防止することができる。ここで、接着部材１６６はホルダー１２０の上面と第１カバー１７０との間の離隔空間（又はギャップ）を埋めるように配置されることができる。場合によって、接着部材１６６は省略することもできる。また、第１カバー１７０はホルダー１２０の上面と第１〜第４側壁を覆うように配置されることができる。
【手続補正５】
【補正対象書類名】明細書
【補正対象項目名】００９２
【補正方法】変更
【補正の内容】
【００９２】
図４ｃに示したように、共通電極ＣＥは、第１〜第４共通電極セクターＣ１〜Ｃ４（Ｎ＝４の場合）を含むことができる。また、第１〜第４共通電極セクターＣ１〜Ｃ４は、光軸を中心に時計方向（又は、反時計方向）に順次配置されることができる。
【手続補正６】
【補正対象書類名】明細書
【補正対象項目名】０１００
【補正方法】変更
【補正の内容】
【０１００】
また、液体レンズ１４２の実際有効レンズ領域は、第１プレート１４７の第３及び第４開口の中で広い開口の直径（例えば、Ｏ2）より小さくてもよい。例えば、液体レンズ１４２の中心部を基準に狭い範囲の半径が実際に光を伝達する経路として使われる場合、図５に示したものとは違い、第３プレート１４６の中心領域の直径（例えば、Ｏ3）は第１プレート１４７の第３及び第４開口の中で広い開口の直径（例えば、Ｏ2）より小さくてもよい。
【手続補正７】
【補正対象書類名】明細書
【補正対象項目名】０１０９
【補正方法】変更
【補正の内容】
【０１０９】
また、第１〜第８個別端子部ＥＴ１〜ＥＴ８はホルダー１２０の第１又は第２開口の少なくとも一つを通して露出されることができる。例えば、図４ａ〜図４ｃに示したように、第１、第２、第３及び第８個別端子部ＥＴ１、ＥＴ２、ＥＴ３及びＥＴ８はホルダー１２０の第１開口ＯＰ１を通して露出され、第４〜第７個別端子部ＥＴ４〜ＥＴ７はホルダー１２０の第２開口ＯＰ２を通して露出されることができる。
【手続補正８】
【補正対象書類名】明細書
【補正対象項目名】０１１０
【補正方法】変更
【補正の内容】
【０１１０】
第１〜第８個別端子部ＥＴ１〜ＥＴ８は第１、第２、第３又は第４外側面ＵＳ１、ＵＳ２、ＵＳ３、ＵＳ４の少なくとも一面に配置されることができる。例えば、図４ａ〜図４ｃに示したように、第１〜第４及び第８個別端子部ＥＴ１〜ＥＴ３及びＥＴ８は第１外側面ＵＳ１に配置されることができる。また、第４〜第７個別端子部ＥＴ４〜ＥＴ７は第２外側面ＵＳ２に配置されることができる。
【手続補正９】
【補正対象書類名】明細書
【補正対象項目名】０１１４
【補正方法】変更
【補正の内容】
【０１１４】
また、第１上側連結部ＵＣＣ１は第１上側コンタクト部ＵＣＰ１と第１個別端子部ＥＴ１を電気的に連結することができる。第２上側連結部ＵＣＣ２は第２上側コンタクト部ＵＣＰ２と第２個別端子部ＥＴ２を電気的に連結することができる。第３上側連結部ＵＣＣ３は第３上側コンタクト部ＵＣＰ３と第３個別端子部ＥＴ３を電気的に連結することができる。第４上側連結部ＵＣＣ４は第４上側コンタクト部ＵＣＰ４と第４個別端子部ＥＴ４を電気的に連結することができる。第５上側連結部ＵＣＣ５は第５上側コンタクト部ＵＣＰ５と第５個別端子部ＥＴ５を電気的に連結することができる。第６上側連結部ＵＣＣ６は第６上側コンタクト部ＵＣＰ６と第６個別端子部ＥＴ６を電気的に連結することができる。第７上側連結部ＵＣＣ７は第７上側コンタクト部ＵＣＰ７と第７個別端子部ＥＴ７を電気的に連結することができる。第８上側連結部ＵＣＣ８は第８上側コンタクト部ＵＣＰ８と第８個別端子部ＥＴ８を電気的に連結することができる。このために、第１〜第８上側連結部ＵＣＣ１〜ＵＣＣ８は、上部カバーＵＣにおいて第１〜第８個別端子部ＥＴ１〜ＥＴ８が配置された第１及び第２外側面（例えば、ＵＳ１、ＵＳ２）と第１〜第８上側コンタクト部ＵＣＰ１〜ＵＣＰ８が配置された底面ＵＢＳを除いた面に配置されることができる。すなわち、第１〜第８上側連結部ＵＣＣ１〜ＵＣＣ８は、上部カバーＵＣのトップ面ＵＴＳ、第３外側面ＵＳ３、第４外側面ＵＳ４、上側コンタクト部ＵＣＰ１〜ＵＣＰ８が配置された内側面４２０又は第１接触面４００の少なくとも一面に配置されることができる。
【手続補正１０】
【補正対象書類名】明細書
【補正対象項目名】０１１５
【補正方法】変更
【補正の内容】
【０１１５】
したがって、第１上側コンタクト部ＵＣＰ１と第１上側連結部ＵＣＣ１を介して第１個別電極セクターＥ１と第１個別端子部ＥＴ１が電気的に連結されることができる。第２上側コンタクト部ＵＣＰ２と第２上側連結部ＵＣＣ２を介して第２個別電極セクターＥ２と第２個別端子部ＥＴ２が電気的に連結されることができる。第３上側コンタクト部ＵＣＰ３と第３上側連結部ＵＣＣ３を介して第３個別電極セクターＥ３と第３個別端子部ＥＴ３が電気的に連結されることができる。第４上側コンタクト部ＵＣＰ４と第４上側連結部ＵＣＣ４を介して第４個別電極セクターＥ４と第１個別端子部ＥＴ４が電気的に連結されることができる。第５上側コンタクト部ＵＣＰ５と第５上側連結部ＵＣＣ５を介して第５個別電極セクターＥ５と第５個別端子部ＥＴ５が電気的に連結されることができる。第６上側コンタクト部ＵＣＰ６と第６上側連結部ＵＣＣ６を介して第６個別電極セクターＥ６と第６個別端子部ＥＴが電気的に連結されることができる。第７上側コンタクト部ＵＣＰ７と第７上側連結部ＵＣＣ７を介して第７個別電極セクターＥ７と第７個別端子部ＥＴ７を電気的に連結することができる。第８上側コンタクト部ＵＣＰ８と第８上側連結部ＵＣＣ８を介して第８個別電極セクターＥ８と第８個別端子部ＥＴ８を電気的に連結することができる。
【手続補正１１】
【補正対象書類名】明細書
【補正対象項目名】０１２５
【補正方法】変更
【補正の内容】
【０１２５】
したがって、第１下側コンタクト部ＬＣＰ１及び第１下側連結部ＬＣＣ１を介して第１共通電極セクターＣ１と第１共通端子部ＣＴ１が電気的に連結されることができる。第２下側コンタクト部ＬＣＰ２及び第２下側連結部ＬＣＣ２を介して第２共通電極セクターＣ２と第２共通端子部ＣＴ２が電気的に連結されることができる。第３下側コンタクト部ＬＣＰ３及び第３下側連結部ＬＣＣ３を介して第３共通電極セクターＣ３と第３共通端子部ＣＴ３が電気的に連結されることができる。第４下側コンタクト部ＬＣＰ４及び第４下側連結部ＬＣＣ４を介して第４共通電極セクターＣ４と第４共通端子部ＣＴ４が電気的に連結されることができる。
【手続補正１２】
【補正対象書類名】明細書
【補正対象項目名】０１３３
【補正方法】変更
【補正の内容】
【０１３３】
図６ｂを参照すると、上部カバーＵＣは、第１〜第８上側コンタクト部ＵＣＰ１〜ＵＣＰ８及び第１〜第８上側連結部ＵＣＣ１〜ＵＣＣ８を含むことができる。
【手続補正１３】
【補正対象書類名】明細書
【補正対象項目名】０１３４
【補正方法】変更
【補正の内容】
【０１３４】
第１〜第８上側コンタクト部ＵＣＰ１〜ＵＣＰ８は第１〜第８個別電極セクターＥ１〜Ｅ８とそれぞれ電気的にコンタクトすることができる。このために、第１〜第８上側コンタクト部ＵＣＰ１〜ＵＣＰ８は第１〜第８コンタクト通孔及び第１〜第８導電型部材（例えば、５００）を含むことができる。第１〜第８コンタクト通孔は第１〜第８個別電極セクターＥ１〜Ｅ８にそれぞれ対応する位置に形成されることができる。第１〜第８導電型部材５００は第１〜第８コンタクト通孔にそれぞれ埋め込まれて第１〜第８個別電極セクターＥ１〜Ｅ８と第１〜第８上側連結部ＵＣＣ１〜ＵＣＣ８をそれぞれ電気的に連結することができる。第１〜第８導電型部材５００のそれぞれは金属（例えば、Ａｇ）を含むエポキシであり得るが、実施例はこれに限られない。
【手続補正１４】
【補正対象書類名】明細書
【補正対象項目名】０１３７
【補正方法】変更
【補正の内容】
【０１３７】
下部カバーＬＣは第１及び第２共通端子部ＣＴ１、ＣＴ２を含むことができる。図６ａ〜図６ｃの場合、ｎ＝２の場合である。ここで、共通端子部ＣＴ１、ＣＴ２の個数（ｎ＝２）は共通電極セクターＣ１〜Ｃ４の個数（Ｎ＝４）より少ない。これは、第１及び第２共通端子部ＣＴ１、ＣＴ２のそれぞれが第１〜第４下側コンタクト部ＬＣＰ１〜ＬＣＰ４の中で隣接した下側コンタクト部と電気的に連結されるからである。
【手続補正１５】
【補正対象書類名】明細書
【補正対象項目名】０１５２
【補正方法】変更
【補正の内容】
【０１５２】
また、共通端子部ＯＴは基板フレーム６１２を介して第１〜第４共通電極セクターＣ１〜Ｃ４と電気的に連結されることができる。よって、下部カバーＬＣの共通端子部ＯＴの個数（ｎ）は１個であり、共通電極セクターＣ１〜Ｃ４の個数（Ｎ）より少ないことができる。共通端子部ＯＴはイメージセンサー１８２の光軸ＬＸに垂直な方向（例えば、ｘ軸方向）に露出されることができる。すなわち、共通端子部ＯＴは第１〜第８個別端子部ＥＴ１〜ＥＴ８と同じ方向に配置されることができる。
【手続補正１６】
【補正対象書類名】明細書
【補正対象項目名】０１６５
【補正方法】変更
【補正の内容】
【０１６５】
制御部２２０はＡＦ機能及びＯＩＳ機能をするための構成を有し、使用者の要求又は感知結果（例えば、ジャイロセンサー２２５の動き信号など）を用いてレンズアセンブリー２５０に含まれた液体レンズ２８０を制御することができる。ここで、液体レンズ２８０は前述した液体レンズ１４２に相当することができる。
【手続補正１７】
【補正対象書類名】明細書
【補正対象項目名】０１７６
【補正方法】変更
【補正の内容】
【０１７６】
制御回路２１０は、制御回路２１０の通信又はインターフェースの機能を果たすコネクタ（図示せず）をさらに含むことができる。例えば、Ｉ2Ｃ（Ｉｎｔｅｒ−Ｉｎｔｅｇｒａｔｅｄ  Ｃｉｒｃｕｉｔ）通信方式を使う制御回路２１０とＭＩＰＩ（Ｍｏｂｉｌｅ  Ｉｎｄｕｓｔｒｙ  Ｐｒｏｃｅｓｓｏｒ  Ｉｎｔｅｒｆａｃｅ）通信方式を使うレンズアセンブリー２５０との間の通信のために、コネクタは通信プロトコル変換を遂行することができる。また、コネクタは、外部（例えば、バッテリー）から電源を受け、制御部２２０及びレンズアセンブリー２５０の動作に必要な電源を供給することができる。この場合、コネクタは図２に示したコネクタ１５３に相当することができる。
【手続補正１８】
【補正対象書類名】特許請求の範囲
【補正対象項目名】全文
【補正方法】変更
【補正の内容】
【特許請求の範囲】
【請求項１】
第１〜第Ｍ（ここで、Ｍは２以上の正の整数）個別電極セクター及び第１〜第Ｎ（ここで、Ｎは１以上の正の整数）共通電極セクターを含む液体レンズと、
前記第１〜第Ｍ個別電極セクターとそれぞれ電気的に連結され、イメージセンサーの光軸に垂直な第１方向に露出された第１〜第Ｍ個別端子部を含む上部カバーと、
前記上部カバーとともに前記液体レンズを取り囲み、前記第１〜第ｎ共通電極セクターと電気的に連結され、前記第１方向に露出された第１〜第ｎ（ここで、１≦ｎ≦Ｎ）共通端子部を含む下部カバーと、を含む、液体レンズモジュール。
【請求項２】
前記上部カバーは、前記第１方向に互いに対面する第１及び第２外側面を含み、
前記第１〜第Ｍ個別端子部は、前記第１又は第２外側面の一つに配置される、請求項１に記載の液体レンズモジュール。
【請求項３】
前記上部カバーは、
前記第１〜第Ｍ個別電極セクターとそれぞれ電気的にコンタクトする第１〜第Ｍ上側コンタクト部と、
第１〜第Ｍ上側コンタクト部と前記第１〜第Ｍ個別端子部とをそれぞれ電気的に連結する第１〜第Ｍ上側連結部と、を含む、請求項１又は２に記載の液体レンズモジュール。
【請求項４】
前記第１〜第Ｍ上側コンタクト部は、前記第１〜第Ｍ個別電極セクターに向かってそれぞれ突出した形状を有する、請求項３に記載の液体レンズモジュール。
【請求項５】
前記第１〜第Ｍ上側コンタクト部は、
前記第１〜第Ｍ個別電極セクターにそれぞれ対応する位置に形成された第１〜第Ｍコンタクト通孔と、
前記第１〜第Ｍコンタクト通孔に埋め込まれ、前記第１〜第Ｍ個別電極セクターと前記第１〜第Ｍ上側連結部をそれぞれ電気的に連結する第１〜第Ｍ導電型部材と、を含む、請求項３又は４に記載の液体レンズモジュール。
【請求項６】
前記第１〜第Ｍコンタクト通孔のそれぞれは、前記上部カバーのトップ面から所定の深さだけ深い位置に形成される、請求項５に記載の液体レンズモジュール。
【請求項７】
前記下側カバーは、
前記第１〜第ｎ共通電極セクターとそれぞれ電気的にコンタクトする第１〜第ｎ下側コンタクト部と、
第１〜第ｎ下側コンタクト部と前記第１〜第ｎ共通端子部とを電気的に連結する第１〜第ｎ下側連結部と、を含む、請求項１〜６のいずれか一項に記載の液体レンズモジュール。
【請求項８】
前記第１〜第Ｎ下側コンタクト部は、前記第１〜第Ｎ共通電極セクターに向かってそれぞれ突出した形状を有する、請求項７に記載の液体レンズモジュール。
【請求項９】
前記第１〜第ｎ共通端子部のそれぞれは、前記第１〜第Ｎ下側コンタクト部の中で隣接した下側コンタクト部と電気的に連結された、請求項７又は８に記載の液体レンズモジュール。
【請求項１０】
前記共通端子部の個数（ｎ）は、前記共通電極セクターの個数（Ｎ）の半分である、請求項９に記載の液体レンズモジュール。
【請求項１１】
前記上部カバーは、前記下部カバーと接する第１接触面から突出した複数の突起を含み、
前記下部カバーは、前記上部カバーと接する第２接触面に、前記複数の突起に対応する位置に対応する形状に形成された複数の溝部を含む、請求項１〜１０のいずれか一項に記載の液体レンズモジュール。
【請求項１２】
前記上部カバーは、前記下部カバーと接する第１接触面に形成された複数の溝部を含み、
前記下部カバーは、前記上部カバーと接する第２接触面に、前記複数の溝部に対応する位置に対応する形状に突出した複数の突起を含む、請求項１〜１０のいずれか一項に記載の液体レンズモジュール。
【請求項１３】
前記上部カバーは、光軸方向又は前記光軸方向に平行な第２方向に対応する位置に配置された上部開口を含み、
前記下部カバーは、前記上部開口と前記光軸方向又は前記第２方向に対応する位置に配置された下部開口を含む、請求項１〜１２のいずれか一項に記載の液体レンズモジュール。
【請求項１４】
前記上部カバーと前記液体レンズとの間の第１空間又は前記下部カバーと前記液体レンズとの間の第２空間の少なくとも一つに配置された接着部材を含む、請求項１３に記載の液体レンズモジュール。
【請求項１５】
前記接着部材は、
前記第１空間に配置された第１接着部材と、
前記第２空間に配置された第２接着部材と、を含み、
前記第１接着部材は、前記上側開口及び前記下側開口とそれぞれ光軸方向に重畳する位置と前記第１〜第Ｍ個別電極セクター上に配置されず、
前記第２接着部材は、前記上側開口及び前記下側開口とそれぞれ光軸方向に重畳する、請求項１４に記載の液体レンズモジュール。
【請求項１６】
前記下部カバーは、
前記液体レンズの側部を取り囲むように配置されたカバーフレームと、
前記カバーフレームとともに前記液体レンズを取り囲むように配置され、前記第１〜第Ｎ共通電極セクターと連結された前記共通端子部を有する連結基板と、を含む、請求項１〜３のいずれか一項に記載の液体レンズモジュール。
【請求項１７】
前記連結基板は、
基板フレームと、
前記基板フレームの外側から前記第１方向に突出し、前記共通端子部に相当する外側端子部と、
前記基板フレームの内側から突出して前記第１〜第Ｎ共通電極セクターとそれぞれ接する第１〜第Ｎ内側端子部と、を含む、請求項１６に記載の液体レンズモジュール。
【請求項１８】
前記第１〜第Ｍ個別電極セクターの中で前記液体レンズのコーナーに配置された個別電極セクターの第３方向への第１幅は、前記第１〜第Ｍ個別電極セクターの中で前記液体レンズの辺に配置された個別電極セクターの前記第３方向への第２幅より小さく、
前記第３方向は、光軸方向又は前記光軸方向に平行な第２方向に垂直であり、前記第１方向に垂直である、請求項１６又は１７に記載の液体レンズモジュール。
【請求項１９】
第１開口を有する一側壁及び前記第１開口と光軸方向に垂直な第１方向に対面する第２開口を有する他側壁を含むホルダーと、
前記ホルダーの内部に配置された液体レンズモジュールと、を含み、
前記液体レンズモジュールは、
Ｍ（ここで、Ｍは２以上の正の整数）個の個別電極セクター及びＮ（ここで、Ｎは２以上の正の整数）個の共通電極セクターを含む液体レンズと、
前記第１〜第Ｍ個別電極セクターとそれぞれ電気的に連結され、前記第１又は第２開口の少なくとも一つを通して露出された第１〜第Ｍ個別端子部を含む上部カバーと、
前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーと、を含む、レンズアセンブリー。
【請求項２０】
イメージセンサーと、
前記イメージセンサーの光軸方向に配置されるレンズアセンブリーと、
前記イメージセンサーが配置され、駆動電圧を供給するメイン基板と、を含み、
前記レンズアセンブリーは、
第１開口を有する一側壁及び前記第１開口と光軸方向に垂直な第１方向に対面する第２開口を有する他側壁を含むホルダーと、
前記ホルダーの内部に配置された液体レンズモジュールと、を含み、
前記液体レンズモジュールは、
Ｍ（ここで、Ｍは２以上の正の整数）個の個別電極セクター及びＮ（ここで、Ｎは２以上の正の整数）個の共通電極セクターを含む液体レンズと、
前記第１〜第Ｍ個別電極セクターとそれぞれ電気的に連結され、前記第１又は第２開口の少なくとも一つを通して露出された第１〜第Ｍ個別端子部を含む上部カバーと、
前記上部カバーとともに前記液体レンズを取り囲み、前記第１〜第ｎ共通電極セクターと電気的に連結され、前記第１又は第２開口の少なくとも一つを通して露出された第１〜第ｎ（ここで、１≦ｎ≦Ｎ）共通端子部を含む下部カバーと、を含む、カメラモジュール。
【国際調査報告】
2021512361.tif 000018
2021512361.tif 000019
2021512361.tif 000020
2021512361.tif 000021